(57)【要約】  無線通信ネットワークにおいて無線端末を動作させる方法が議論される。無線端末から無線通信ネットワークの基地局へ接続再開要求が送信されてもよい。接続再開要求を送信した後、無線端末において接続再開メッセージを、基地局から受信してもよい。接続再開メッセージを受信することに応じて、基地局との接続の再設定が実行されてもよく、基地局との接続のセキュリティキーが提供されてもよく、無線ベアラが再開されてもよい。無線ベアラを再開した後、無線ベアラを用いてアップリンクデータを送信してもよい。関連基地局方法、ネットワークノード、および無線端末もまた議論される。【選択図】図３
2019519962.tif 000002
【特許請求の範囲】
【請求項１】
無線通信ネットワークにおいて無線端末（ＵＥ）を動作させる方法であって、
前記無線端末（ＵＥ）から前記無線通信ネットワークの基地局（ｅＮＢ）へ接続再開要求を送信すること（１００９）と、
前記接続再開要求を送信した後、前記無線端末（ＵＥ）において接続再開メッセージを、前記基地局（ｅＮＢ）から受信すること（１０１１）と、
前記接続再開メッセージを受信することに応じて、前記基地局（ｅＮＢ）との接続の再設定を実行すること（１０１３）と、
前記接続再開メッセージを受信することに応じて、前記基地局（ｅＮＢ）との前記接続のセキュリティキーを提供すること（１０１５）と、
前記接続再開メッセージを受信することに応じて、無線ベアラを再開すること（１０１７）と、
前記無線ベアラを再開した後、前記無線ベアラを用いてアップリンクデータを送信すること（１０２１）と、を含む方法。
【請求項２】
前記無線端末（ＵＥ）から前記基地局（ｅＮＢ）へ接続再開完了メッセージを送信すること（１０１９）と、をさらに含み、
前記アップリンクデータを送信することが、前記接続再開完了メッセージを送信した後に前記アップリンクデータを送信することを含む請求項１に記載の方法。
【請求項３】
前記接続再開メッセージが前記無線ベアラを再開することを遅らせるための指示を含み、
再設定を行うことが前記接続の再設定を前記接続再開メッセージに基づいて行うことを含む請求項１または２に記載の方法。
【請求項４】
前記接続再開要求を送信する前に、前記基地局（ｅＮＢ）との接続を提供すること（１００１）と、
前記再開要求を送信する前、かつ、前記基地局（ｅＮＢ）との前記接続を提供した後、前記無線端末（ＵＥ）において接続中止メッセージを、前記基地局（ｅＮＢ）から受信すること（１００３）と、
前記接続再開要求を送信する前、かつ、前記接続中止メッセージを受信することに応じて、前記接続の前記無線ベアラを中止すること（１００５）と、
前記接続再開要求を送信する前、かつ、前記接続の前記無線ベアラを中止した後、前記接続を中止すること（１００７）と、をさらに含む請求項１から３のいずれか一項に記載の方法。
【請求項５】
前記接続再開要求を送信することが、前記基地局（ｅＮＢ）への送信用の前記アップリンクデータの到着に応じて、前記接続再開要求を送信することを含む請求項４に記載の方法。
【請求項６】
前記無線ベアラを再開した後まで、送信用の前記アップリンクデータの処理を阻止することをさらに含む請求項５に記載の方法。
【請求項７】
前記接続中止メッセージが無線リソース制御、ＲＲＣ接続中止メッセージを含む請求項４から６のいずれか一項に記載の方法。
【請求項８】
前記接続再開要求が無線リソース制御、ＲＲＣ再開要求を含み、前記接続再開メッセージが無線リソース制御接続再開メッセージを含み、前記接続が無線リソース制御接続を含み、前記接続再開完了メッセージが無線リソース制御接続再開完了メッセージを含む請求項１から７のいずれか一項に記載の方法。
【請求項９】
前記セキュリティキーを提供することが、前記接続中止メッセージを受信する前に用いられていた以前のセキュリティキーからセキュリティキーを変更することを含む請求項１から８のいずれか一項に記載の方法。
【請求項１０】
前記接続再開メッセージがセキュリティキー導出インジケータを含み、前記セキュリティキーを変更することが前記セキュリティキー導出インジケータを用いて前記セキュリティキーを変更することを含む請求項１から９のいずれか一項に記載の方法。
【請求項１１】
無線通信ネットワークとの無線通信を提供するよう構成されたトランシーバ（１３０５）と、
前記トランシーバと結合されたプロセッサ（１３０３）と、を備え、
前記プロセッサと前記無線通信ネットワークとの間の通信が前記トランシーバを通じて提供され、
前記プロセッサが、
前記無線端末（ＵＥ）から前記無線通信ネットワークの基地局（ｅＮＢ）へ接続再開要求を送信することと、
前記接続再開要求を送信した後、前記無線端末（ＵＥ）において接続再開メッセージを、前記基地局（ｅＮＢ）から受信することと、
前記接続再開メッセージを受信することに応じて、前記基地局（ｅＮＢ）との接続の再設定を行うことと、
前記接続再開メッセージを受信することに応じて、前記基地局（ｅＮＢ）との前記接続のセキュリティキーを提供することと、
前記接続再開メッセージを受信することに応じて、無線ベアラを再開することと、
前記無線ベアラを再開した後、前記無線ベアラを用いてアップリンクデータを送信することと、を行うよう構成される無線端末（ＵＥ）。
【請求項１２】
前記プロセッサがさらに、
前記無線端末（ＵＥ）から前記基地局（ｅＮＢ）へ接続再開完了メッセージを送信することを行うよう構成され、
前記アップリンクデータを送信することが、前記接続再開完了メッセージを送信した後に前記アップリンクデータを送信することを含む請求項１１に記載の無線端末（ＵＥ）。
【請求項１３】
前記接続再開メッセージが前記無線ベアラを再開することを遅らせるための指示を含み、
再設定を行うことが前記接続の再設定を前記接続再開メッセージに基づいて行うことを含む請求項１１または１２に記載の無線端末（ＵＥ）。
【請求項１４】
前記プロセッサがさらに、
前記接続再開要求を送信する前に、前記基地局（ｅＮＢ）との接続を提供することと、
前記再開要求を送信する前、かつ、前記基地局（ｅＮＢ）との前記接続を提供した後、前記無線端末（ＵＥ）において接続中止メッセージを、前記基地局（ｅＮＢ）から受信することと、
前記接続再開要求を送信する前、かつ、前記接続中止メッセージを受信することに応じて、前記接続の前記無線ベアラを中止することと、
前記接続再開要求を送信する前、かつ、前記接続の前記無線ベアラを中止した後、前記接続を中止することと、を行うよう構成される請求項１１から１３のいずれか一項に記載の無線端末（ＵＥ）。
【請求項１５】
前記接続再開要求を送信することが、前記基地局（ｅＮＢ）への送信用の前記アップリンクデータの到着に応じて、前記接続再開要求を送信することを含む請求項１４に記載の無線端末（ＵＥ）。
【請求項１６】
前記プロセッサがさらに、
前記無線ベアラを再開した後まで、送信用の前記アップリンクデータの処理を阻止することを行うよう構成される請求項１５に記載の無線端末（ＵＥ）。
【請求項１７】
前記接続中止メッセージが無線リソース制御、ＲＲＣ接続中止メッセージを含む請求項１４から１６のいずれか一項に記載の無線端末（ＵＥ）。
【請求項１８】
前記接続再開要求が無線リソース制御、ＲＲＣ再開要求を含み、前記接続再開メッセージが無線リソース制御接続再開メッセージを含み、前記接続が無線リソース制御接続を含み、前記接続再開完了メッセージが無線リソース制御接続再開完了メッセージを含む請求項１１から１７のいずれか一項に記載の無線端末（ＵＥ）。
【請求項１９】
前記セキュリティキーを提供することが、前記接続中止メッセージを受信する前に用いられていた以前のセキュリティキーからセキュリティキーを変更することを含む請求項１１から１８のいずれか一項に記載の無線端末（ＵＥ）。
【請求項２０】
前記接続再開メッセージがセキュリティキー導出インジケータを含み、前記セキュリティキーを変更することが前記セキュリティキー導出インジケータを用いて前記セキュリティキーを変更することを含む請求項１１から１９のいずれか一項に記載の無線端末（ＵＥ）。
【請求項２１】
無線通信ネットワークにおいて動作する無線端末（ＵＥ）であって、前記無線端末（ＵＥ）は、
前記無線端末（ＵＥ）から前記無線通信ネットワークの基地局（ｅＮＢ）へ接続再開要求を送信することと、
前記接続再開要求を送信した後、前記無線端末（ＵＥ）において接続再開メッセージを、前記基地局（ｅＮＢ）から受信することと、
前記接続再開メッセージを受信することに応じて、前記基地局（ｅＮＢ）との接続の再設定を行うことと、
前記接続再開メッセージを受信することに応じて、前記基地局（ｅＮＢ）との前記接続のセキュリティキーを提供することと、
前記接続再開メッセージを受信することに応じて、無線ベアラを再開することと、
前記無線ベアラを再開した後、前記無線ベアラを用いてアップリンクデータを送信することと、を行うよう適合される無線端末（ＵＥ）。
【請求項２２】
前記無線端末がさらに、
前記無線端末（ＵＥ）から前記基地局（ｅＮＢ）へ接続再開完了メッセージを送信することを行うよう適合され、
前記アップリンクデータを送信することが、前記接続再開完了メッセージを送信した後に前記アップリンクデータを送信することを含む請求項２１に記載の無線端末（ＵＥ）。
【請求項２３】
前記接続再開メッセージが前記無線ベアラを再開することを遅らせるための指示を含み、
再設定を行うことが前記接続の再設定を前記接続再開メッセージに基づいて行うことを含む請求項２１または２２に記載の無線端末（ＵＥ）。
【請求項２４】
前記無線端末がさらに、
前記接続再開要求を送信する前に、前記基地局（ｅＮＢ）との接続を提供することと、
前記再開要求を送信する前、かつ、前記基地局（ｅＮＢ）との前記接続を提供した後、前記無線端末（ＵＥ）において接続中止メッセージを、前記基地局（ｅＮＢ）から受信することと、
前記接続再開要求を送信する前、かつ、前記接続中止メッセージを受信することに応じて、前記接続の前記無線ベアラを中止することと、
前記接続再開要求を送信する前、かつ、前記接続の前記無線ベアラを中止した後、前記接続を中止することと、を行うよう適合される請求項２１から２３のいずれか一項に記載の無線端末（ＵＥ）。
【請求項２５】
前記接続再開要求を送信することが、前記基地局（ｅＮＢ）への送信用の前記アップリンクデータの到着に応じて、前記接続再開要求を送信することを含む請求項２４に記載の無線端末（ＵＥ）。
【請求項２６】
前記無線端末がさらに、
前記無線ベアラを再開した後まで、送信用の前記アップリンクデータの処理を阻止することを行うよう適合される請求項２５に記載の無線端末（ＵＥ）。
【請求項２７】
前記接続中止メッセージが無線リソース制御、ＲＲＣ接続中止メッセージを含む請求項２４から２６のいずれか一項に記載の無線端末（ＵＥ）。
【請求項２８】
前記接続再開要求が無線リソース制御、ＲＲＣ再開要求を含み、前記接続再開メッセージが無線リソース制御接続再開メッセージを含み、前記接続が無線リソース制御接続を含み、前記接続再開完了メッセージが無線リソース制御接続再開完了メッセージを含む請求項２１から２７のいずれか一項に記載の無線端末（ＵＥ）。
【請求項２９】
前記セキュリティキーを提供することが、前記接続中止メッセージを受信する前に用いられていた以前のセキュリティキーからセキュリティキーを変更することを含む請求項２１から２８のいずれか一項に記載の無線端末（ＵＥ）。
【請求項３０】
前記接続再開メッセージがセキュリティキー導出インジケータを含み、前記セキュリティキーを変更することが前記セキュリティキー導出インジケータを用いて前記セキュリティキーを変更することを含む請求項２１から２９のいずれか一項に記載の無線端末（ＵＥ）。
【請求項３１】
無線通信ネットワークのノード（１１０１）を動作させる方法であって、
前記ノードから無線端末（ＵＥ）へ、接続中止メッセージを送信すること（１２０１）と、
前記接続中止メッセージを送信した後、前記ノードにおいて接続再開要求を、前記無線端末（ＵＥ）から受信すること（１２０３）と、
前記接続再開要求を受信することに応じて、前記ノードから前記無線端末（ＵＥ）へ、接続再開メッセージを送信することであって、前記接続再開メッセージが前記接続の無線ベアラを再開することを遅らせるための指示を含む、送信すること（１２０５）と、を含む方法。
【請求項３２】
無線通信ネットワークのノード（１１０１）であって、
無線端末（ＵＥ）との無線通信を提供するよう構成されたトランシーバ（１１０７）と、
前記トランシーバと結合されたプロセッサ（１１０３）と、を備え、
前記プロセッサと前記無線端末（ＵＥ）との間の通信が前記トランシーバを通じて提供され、
前記プロセッサが、
前記ノードから無線端末（ＵＥ）へ、接続中止メッセージを送信することと、
前記接続中止メッセージを送信した後、前記ノードにおいて接続再開要求を、前記無線端末（ＵＥ）から受信することと、
前記接続再開要求を受信することに応じて、前記ノードから前記無線端末（ＵＥ）へ、接続再開メッセージを送信することであって、前記接続再開メッセージが前記接続の無線ベアラを再開することを遅らせるための指示を含む、送信することと、を行うよう構成されるノード。
【請求項３３】
無線通信ネットワークのノード（１１０１）であって、前記ノードは、
前記ノードから無線端末（ＵＥ）へ、接続中止メッセージを送信することと、
前記接続中止メッセージを送信した後、前記ノードにおいて接続再開要求を、前記無線端末（ＵＥ）から受信することと、
前記接続再開要求を受信することに応じて、前記ノードから前記無線端末（ＵＥ）へ、接続再開メッセージを送信することであって、前記接続再開メッセージが前記接続の無線ベアラを再開することを遅らせるための指示を含む、送信することと、を行うよう適合されるノード。
【請求項３４】
前記接続再開メッセージが接続再開完了メッセージを省略することの指示を含む請求項３３に記載のノード。
【請求項３５】
前記接続中止メッセージが無線リソース制御、ＲＲＣ、接続中止メッセージであり、前記接続再開要求がＲＲＣ接続再開要求であり、前記接続再開メッセージがＲＲＣ接続再開メッセージである請求項３３または３４に記載のノード。
【発明の詳細な説明】
【技術分野】
【０００１】
本開示は通信分野に関し、特に無線通信および関連する無線端末およびネットワークノードを提供する方法に関する。
【背景技術】
【０００２】
ＬＴＥ動作のひとつの態様は、ＵＥが送信対象または受信対象のデータを有さない間はシグナリングをできる限り少なくすることで、できる限り少ない電力を用いることである。それを実現するためのひとつの方法は、データを送信しない間、ＲＲＣ＿ＩＤＬＥに残り続けることである。各送信の前に、ＵＥは状態をＲＲＣ＿ＣＯＮＮＥＣＴＥＤへと遷移させる必要があり、これはＵＥとｅＮＢとの間で多くのメッセージを交換することを含む手順である。ＲＲＣ＿ＩＤＬＥに残り続けることは、ＵＥが十分に静止した状態で有り続ける限り、すなわち、ＵＥが他の隣接セルについての測定を行う必要がない限り、この目的について効率的でありうる。したがって、ＲＲＣ＿ＩＤＬＥへの高速スイッチングは、移動することが想定されていないＭＴＣ（マシンタイプ通信）デバイスにとっては特に効率的でありうる。
【０００３】
ＲＲＣ接続を中止し、再開することによって、さらなる電力低減が提供されうる。ＲＲＣ接続の既知の中止および再開では、接続が再開されたときに正しくないまたはサポートされない設定が用いられる可能性があり、これはデータ欠落、不具合、および／または想定外の振る舞いを引き起こしうる。
【発明の概要】
【０００４】
発明概念のある実施の形態によると、無線通信ネットワークにおいて無線端末を動作させるための方法が提供されてもよい。無線端末から無線通信ネットワークの基地局へ接続再開要求が送信されてもよい。接続再開要求を送信した後、無線端末において接続再開メッセージを、基地局から受信してもよい。接続再開メッセージを受信することに応じて、基地局との接続の再設定が実行されてもよく、基地局との接続のセキュリティキーが提供されてもよく、無線ベアラが再開されてもよい。無線ベアラを再開した後、無線ベアラを用いてアップリンクデータを送信してもよい。
【０００５】
発明概念の他の実施の形態によると、無線端末は、無線通信ネットワークとの無線通信を提供するよう構成されたトランシーバと、トランシーバと結合されたプロセッサと、を含んでもよい。プロセッサと無線通信ネットワークとの間の通信がトランシーバを通じて提供されてもよい。プロセッサは、無線端末から無線通信ネットワークの基地局へ接続再開要求を送信することと、接続再開要求を送信した後、無線端末において接続再開メッセージを、基地局から受信することと、を行うよう構成されてもよい。接続再開メッセージを受信することに応じて、プロセッサは、基地局との接続の再設定を実行し、基地局との接続のセキュリティキーを提供し、無線ベアラを再開するよう構成されてもよい。加えて、プロセッサは、無線ベアラを再開した後、無線ベアラを用いてアップリンクデータを送信するよう構成されてもよい。
【０００６】
発明概念のさらに他の実施の形態によると、無線通信ネットワークにおいて動作する無線端末が提供されてもよい。無線端末は、無線端末から無線通信ネットワークの基地局へ接続再開要求を送信することと、接続再開要求を送信した後、無線端末において接続再開メッセージを、基地局から受信することとを行うよう適合されてもよい。接続再開メッセージを受信することに応じて、無線端末は、基地局との接続の再設定を実行し、基地局との接続のセキュリティキーを提供し、無線ベアラを再開するよう適合されてもよい。無線端末はまた、無線ベアラを再開した後、無線ベアラを用いてアップリンクデータを送信するよう構成されてもよい。
【０００７】
発明概念のさらに別の実施の形態によると、無線通信ネットワークのノードを動作させるための方法が提供されてもよい。ノードから無線端末へ、接続中止メッセージが送信されてもよい。接続中止メッセージ送信した後、ノードにおいて接続再開要求が、無線端末から受信されてもよい。接続再開要求を受信することに応じて、ノードから無線端末へ、接続再開メッセージが送信されてもよく、接続再開メッセージが接続の無線ベアラを再開することを遅らせるための指示を含む。
【０００８】
発明概念のさらなる実施の形態によると、無線通信ネットワークのノードは、無線端末との無線通信を提供するよう構成されたトランシーバと、トランシーバと結合されたプロセッサと、を含んでもよい。プロセッサと無線端末との間の通信がトランシーバを通じて提供されてもよい。プロセッサは、ノードから無線端末へ接続中止メッセージを送信することと、接続中止メッセージを送信した後、ノードにおいて接続再開要求を、無線端末から受信することと、を行うよう構成されてもよい。プロセッサはさらに、接続再開要求を受信することに応じて、ノードから無線端末へ、接続再開メッセージを送信するよう構成されてもよく、接続再開メッセージが接続の無線ベアラを再開することを遅らせるための指示を含んでもよい。
【０００９】
発明概念のさらなる実施の形態によると、無線通信ネットワークのノードが提供されてもよい。ノードは、ノードから無線端末へ接続中止メッセージを送信することと、接続中止メッセージを送信した後、ノードにおいて接続再開要求を、無線端末から受信することと、を行うよう適合されてもよい。加えて、ノードは、接続再開要求を受信することに応じて、ノードから無線端末へ、接続再開メッセージを送信するよう構成されてもよく、接続再開メッセージが接続の無線ベアラを再開することを遅らせるための指示を含んでもよい。
【００１０】
本明細書で開示されるある実施の形態によると、中止されていた接続／ベアラが再開されたときの、無線デバイスと基地局との間の設定ミスマッチの蓋然性を低減することができる。
【図面の簡単な説明】
【００１１】
添付の図面は本開示のさらなる理解を提供するために含められており、本願に組み入れられると共にその一部を構成しており、発明概念の所定の非限定的実施の形態を説明する。図面では：
【００１２】
【図１Ａ】図１Ａおよび１Ｂは合わせて、ＵＥ  Ｉｄｌｅ／Ｃｏｎｎｅｃｔｅｄ状態遷移において適用可能なＳ１／ＥＰＳアーキテクチャベースの手順を示す。
【図１Ｂ】図１Ａおよび１Ｂは合わせて、ＵＥ  Ｉｄｌｅ／Ｃｏｎｎｅｃｔｅｄ状態遷移において適用可能なＳ１／ＥＰＳアーキテクチャベースの手順を示す。
【図２】ＲＲＣ接続の中止を説明するメッセージ図である。
【図３】以前に中止されたＲＲＣ接続の再開を説明するメッセージ図である。
【図４Ａ】図４Ａ、４Ｂ、５、６および７は、発明概念のある実施の形態に係る、ＲＲＣ接続を中止し、再開する動作を説明するメッセージ図である。
【図４Ｂ】図４Ａ、４Ｂ、５、６および７は、発明概念のある実施の形態に係る、ＲＲＣ接続を中止し、再開する動作を説明するメッセージ図である。
【図５】図４Ａ、４Ｂ、５、６および７は、発明概念のある実施の形態に係る、ＲＲＣ接続を中止し、再開する動作を説明するメッセージ図である。
【図６】図４Ａ、４Ｂ、５、６および７は、発明概念のある実施の形態に係る、ＲＲＣ接続を中止し、再開する動作を説明するメッセージ図である。
【図７】図４Ａ、４Ｂ、５、６および７は、発明概念のある実施の形態に係る、ＲＲＣ接続を中止し、再開する動作を説明するメッセージ図である。
【図８】発明概念のある実施の形態に係る、基地局ｅＮＢを説明するブロック図である。
【図９】発明概念のある実施の形態に係る、無線端末ＵＥを説明するブロック図である。
【図１０】発明概念のある実施の形態に係る、無線端末の動作を説明するフローチャートである。
【図１１】発明概念のある実施の形態に係る、図１０の動作に関連するメモリモジュールのブロック図である。
【図１２】発明概念のある実施の形態に係る、ネットワークノードの動作を説明するフローチャートである。
【図１３】発明概念のある実施の形態に係る、図１２の動作に関連するメモリモジュールのブロック図である。
【発明を実施するための形態】
【００１３】
発明概念は、ここで、添付の図面を参照して以降でより詳しく説明され、発明概念の実施の形態の例が示される。しかしながら、発明概念は、多くの種々の形態で具現化可能であり、本明細書に示される実施の形態に限定されると解釈されるべきではない。もっと正確に言えば、これらの実施の形態は、本開示が綿密かつ完全となるように提供され、発明概念の範囲を当業者に十分伝達するものとなる。また、これらの実施の形態が相互に排他的でないことは留意されるべきである。１つの実施の形態による構成要素は、別の実施の形態において存在する／使用されると暗黙的に想定される場合がある。
【００１４】
種々の実施の形態がＵＥおよび／またはネットワークノードによって実行されるという文脈の中で本明細書において開示されるが、それらの実施の形態は、かかる実施の形態に限定されるものではなく、任意のタイプの電子通信デバイスやシステムにおいて実行可能である。
【００１５】
ＬＴＥからの用語が、発明概念の実施の形態の例を提供するために本開示において総じて使用されているが、このことは、発明概念の範囲を前述のシステムのみに限定するとして理解されるべきではないことは留意されたい。３ＧＰＰ  ＬＴＥおよびＷＣＤＭＡシステムの変形や後継、ＷｉＭＡＸ（Worldwide Interoperability for Microwave Access）、１ＭＢ（Ultra Mobile Broadband）、ＨＳＤＰＡ（High-Speed Downlink Packet Access）、ＧＳＭ（Global System for Mobile Communications）などを含む他の無線システムも、本明細書で開示される本発明概念の実施の形態を利用することから利益を得ることができる。
【００１６】
また、基地局（ＮｏｄｅＢ、ｅＮＢ、ｅＮｏｄｅＢ、またはＥｖｏｌｖｅｄ  Ｎｏｄｅ  Ｂなどとも称される）および無線端末またはモバイル端末（ユーザ装置、ユーザ装置ノード、またはＵＥなどとも称される）などの用語は、非限定的であると考えられるべきであり、この２つの間におけるある特定の階層関係を暗示しないことは留意されたい。一般に、基地局（例えば、「ＮｏｄｅＢ」、「ｅＮｏｄｅＢ」）および無線端末（例えば、「ＵＥ」）は、それぞれが無線ラジオチャネルを介して互いと通信する異なる通信デバイスの例として考えられてもよい。
【００１７】
ＵＥ（ユーザ装置、ユーザ装置ノード、無線端末などとも称される）が十分に静止状態にあるという前提で、さらなる省電力化または電力消費の低減のために、ＲＲＣ＿ＩＤＬＥからＲＲＣ＿ＣＯＮＮＥＣＴＥＤへの状態遷移を実行するのに必要なシグナリングの量を低減することを考えることができる。
【００１８】
現在規格化されているそのようなアプローチのひとつが、ＲＲＣ（無線リソース制御）接続中止および再開である。ＵＰ（ユーザプレーン）ベースのデータ転送に対するＲＲＣ接続中止および再開アプローチは、ネットワークとのユーザプレーントランザクションを得るためのＩＤＬＥからＣＯＮＮＥＣＴＥＤへの、そしてＩＤＬＥ状態へと戻るＵＥ状態遷移に要求されるシグナリングオーバヘッドを、無線インタフェース上で１０メッセージから５メッセージへと低減し、Ｓ１ＡＰ上で６メッセージから４メッセージへと低減することができる。このソリューションはＡＳレイヤおよびＮＡＳレイヤに影響を与える。シグナリングの低減はまた、ＵＥの電池のもちを改善することができる。
【００１９】
本明細書で説明される二つの新たな手順「ＲＲＣ接続中止」および「ＲＲＣ接続再開」を導入すること、および、ＲＲＣ＿ＩＤＬＥへの遷移において関連するＡＳ情報を保持するというＲＲＣ＿ＩＤＬＥにおける変更されたＵＥ振る舞いの導入によって、シグナリングオーバヘッドの低減が実現されてもよい。ＲＲＣ接続中止手順によってパラメータの格納がトリガされ、パラメータは後続の接続セットアップのためにＵＥによって再利用される。
【００２０】
ＬＴＥにおけるシグナリング
シグナリングオーバヘッドに寄与するものは、ＵＥ状態遷移で、すなわち、アイドル状態と接続状態との間の遷移において、用いられる／必要とされる現行のＳ１ベースＥＰＳアーキテクチャで用いられる手順である。
【００２１】
図１Ａおよび１Ｂは合わせて、ＵＥがユーザプレーン情報を送受信することができるために接続を確立し、取り除くのに用いられる現行のＳ１／ＥＰＳアーキテクチャベースの手順、すなわち、ＵＥアイドル／接続状態遷移に適用可能な手順、を説明する。図示されるように、無線／Ｕｕ、Ｓ１ＡＰインタフェース上でかなりのシグナリングオーバヘッドが存在しうる。シグナリングオーバヘッドおよびネットワークにおける関連処理負荷を低減するために、ＲＲＣ接続を中止し、後に再開することができるようにするソリューションがＲｅｌ−１３で導入され、これによりＩＤＬＥからＣＯＮＮＥＣＴＥＤへの状態遷移のためのシグナリング手順全部を行う必要性が低減または最小化される。
【００２２】
図１Ａに示されるように、無線端末ＵＥおよび基地局ｅＮＢはランダムアクセス（ＲＡ）手順を実行してもよい。動作１０１で、無線端末ＵＥはＲＡ  ｍｓｇ１（プリアンブル）を送信してもよく、動作１０３で、基地局ｅＮＢはＲＡ  ｍｓｇ２（応答）で応答してもよく、動作１０５で、無線端末ＵＥはＲＡ  ｍｓｇ３（ＲＲＣ接続要求）を送信してもよい。動作１０７で、無線端末ＵＥは基地局ｅＮＢに、ＲＲＣ接続設定完了メッセージ（ＮＡＳサービス要求）を送信してもよい。ＲＲＣ接続設定完了メッセージに応じて、基地局ｅＮＢは、動作１０９で、Ｓ１−ＡＰ初期ＵＥメッセージ（ＮＡＳサービス要求）をＭＭＥ（Mobility Management Entity）に送信してもよく、ＭＭＥは動作１１１で、Ｓ１−ＡＰ初期コンテキスト設定要求で応答してもよい。
【００２３】
動作１１３で、基地局ｅＮＢは無線端末ＵＥにＲＲＣセキュリティモードコマンドメッセージを送信してもよく、動作１１５で、無線端末ＵＥは基地局ｅＮＢにＲＲＣセキュリティモード完了メッセージを送信してもよく、動作１１７で、基地局ｅＮＢは無線端末ＵＥにＲＲＣ接続再設定メッセージを送信してもよく、動作１１９で、無線端末ＵＥは基地局ｅＮＢにＲＲＣ接続再設定完了メッセージを送信してもよい。動作１２１で、基地局ｅＮＢはＭＭＥにＳ１−ＡＰ初期コンテキスト設定完了メッセージを送信してもよく、動作１２３で、ＭＭＥはＳＧＷ（Serving Gateway）に変更ベアラ要求メッセージを送信してもよく、動作１２５で、ＳＧＷはＭＭＥに変更ベアラ応答メッセージを送信してもよい。動作１２６および１２７で、無線端末ＵＥは基地局ｅＮＢを通じてＳＧＱへアップリンクＵＬデータを送信してもよく、動作１２９および１３１で、ＳＧＷは基地局ｅＮＢを通じて無線端末ＵＥへダウンリンクＤＬデータを送信してもよい。
【００２４】
動作１３３（図１Ｂに示される）で、タイムアウトの後、基地局ｅＮＢはＭＭＥにＳ１−ＡＰ  ＵＥコンテキスト解放要求メッセージを送信してもよく、ＭＭＥは動作１３５で、ＳＧＷに解放アクセスベアラ要求を送信してもよい。動作１３７で、ＳＧＷはＭＭＥに解放アクセスベアラ応答メッセージを送信してもよく、動作１３９で、ＭＭＥは基地局ｅＮＢにＳ１−ＡＰ  ＵＥコンテキスト解放コマンドメッセージを送信してもよい。次いで、動作１４１で、基地局ｅＮＢは無線端末ＵＥにＲＲＣ接続解放メッセージを送信してもよく、動作１４３で、基地局ｅＮＢはＭＭＥにＳ１−ＡＰ  ＵＥコンテキスト解放完了メッセージを送信してもよい。
【００２５】
初期接続およびＡＳコンテキスト設定を以下に説明する。
図１Ａおよび１Ｂに示されるように、ＵＥは、ＮＡＳシグナリング接続を確立しＵＥおよびネットワークに初期ＡＳコンテキストを提供するために、初期接続設定を行う必要がありうる。ＮＡＳレイヤは、ＡＳレイヤによってネットワークにおいて有効なＡＳコンテキストが見出される限り、今後サービス要求は必要でないと知っている。ＵＥが再開手順を試行している間に何らかの理由でＡＳレイヤコンテキストがネットワークにおいて失われた場合、再開手順は失敗し、ＡＳレイヤはＮＡＳレイヤサービス要求をトリガして新たな初期ＡＳレイヤコンテキストを確立する。
【００２６】
ＲＲＣ接続中止手順が以下に説明される。
ＲＲＣ接続中止手順は、ＲＲＣ＿ＣＯＮＮＥＣＴＥＤ状態からＲＲＣ＿ＩＤＬＥ状態への遷移において用いられ、ＵＥに、ＲＲＣ＿ＩＤＬＥモードにおいてもＡＳコンテキストを保持させる：
・ｅＮｏｄｅＢ（ｅＮＢや基地局とも称される）およびＵＥは、ＲＲＣ接続関連情報と、ＡＳセキュリティコンテキストと、ベアラ関連情報（ＲｏＨＣ状態情報を含む）と、適用される場合には他のＬ３／２／１パラメータと、を保持する。ｅＮＢはＵＥに識別子を提供し、この識別子は「再開ＩＤ」と称され、ｅＮＢに保持される関連情報を指定するために用いられる。
・関連ネットワークノードは、Ｓ１−ＭＭＥ  ＵＥ関連性およびＳ１−Ｕ  ベアラコンテキスト関連情報を保持する。これは、基本的に、Ｓ１ＡＰ  ＵＥコンテキストがｅＮＢおよびＭＭＥに保持、維持されることを意味する。加えて、ｅＮＢはＳ１−Ｕトンネルアドレスを保持、維持する。後者は、Ｓ１−Ｕベアラの確立に必要なｅＮＢ上の処理負荷を低減する。
・ＵＥの移動的振る舞いはＲＲＣ＿ＩＤＬＥ状態におけるものと同じである。例えば、ＵＥは通常または拡張ＩＤＬＥモードＤＲＸ（Discontinuous Reception）パラメータを適用したり、セル再選択を実行したりする。
・ＲＲＣ＿ＩＤＬＥへの遷移において、ＵＥのＥＭＭレイヤはＥＣＭ−ＩＤＬＥ状態に入る。
【００２７】
図２はＲＲＣ接続の中止を示し、これは図２の動作／メッセージを参照して以下に詳述される。
図２の動作１    ネットワークはＲＲＣ接続を中止すると決定する。
図２のメッセージ２    ｅＮＢは新たなＳ１ＡＰメッセージでＭＭＥに、ＵＥのＲＲＣ接続が中止されることを示す。ＭＭＥおよびｅＮＢはＳ１ＡＰ関連性および関連ＵＥコンテキストを格納する。ＭＭＥはＥＣＭ状態であるＥＣＭ−ＩＤＬＥに入る。ＭＭＥはＵＥおよびｅＮｏｄｅＢに関連付けられたＤＬ  ＴＥＩＤを格納する。
図２のメッセージ３    ＭＭＥはＳ−ＧＷ（Serving Gateway）に解放アクセスベアラ要求（無線リンクインジケーションの異常解放または「新たな理由」）を送信し、その要求はＵＥの全てのＳ１−Ｕベアラの解放を要求する。ＳＧＷはＵＥがアイドル状態にあると考える。
図２のメッセージ４    ＳＧＷはステップ３に対する応答を提供する。
図２のメッセージ５    ＭＭＥはステップ２に対してアクノレッジする。
図２の動作６    ＭＭＥは「ＥＣＭ−ＩＤＬＥ」状態に入る。
図２のメッセージ７    ｅＮＢはＵＥ向けのＲＲＣ接続を中止する。その中止されたＲＲＣ接続の後の再開で用いられる識別子が提供されうる。ｅＮＢおよびＵＥは関連コンテキスト情報、すなわちＲＲＣ設定と、ＡＳセキュリティコンテキストと、ベアラ関連情報（ＲｏＨＣ状態情報を含む）と、適用される場合には他のＬ３／２／１パラメータと、を保持する。このメッセージはまた、後の再開で使用されるべきＫ＿ｅＮＢに関連付けられたネクストホップチェイニングカウンタ（ＮＣＣ）を含んでもよい。他の情報もまた提供／含有されてもよい。
図２の動作８Ｅ    ＲＲＣレイヤはＲＲＣ＿ＩＤＬＥ状態に入り、そこではそれは関連ＡＳ情報を保持し（ステップ７参照）、ＵＥ  ＮＡＳレイヤはＥＣＭ−ＩＤＬＥ状態に入り、そこではそれはＮＡＳシグナリング接続が利用可能であることを知る。
【００２８】
ＲＲＣ接続再開手順が以下に説明される。
ＲＲＣ＿ＩＤＬＥからＲＲＣ＿ＣＯＮＮＥＣＴＥＤへの遷移において、ＵＥおよびｅＮｏｄｅＢに以前に格納された情報を用いてＲＲＣ接続を再開する。ＵＥは以前に受信した「再開ＩＤ」を提供し、ｅＮＢはそのＩＤを用いることで、ＲＲＣ接続を再開するのに用いられる／必要な格納情報にアクセスする。さらに、それはＵＥを安全に特定するために用いられる認証トークンを提供する。
【００２９】
関連ネットワークノードは、Ｓ１−ＭＭＥ  ＵＥ  Ｓ１ＡＰ関連性およびＳ１−Ｕベアラコンテキスト関連情報を再格納／再利用する。
【００３０】
初期接続が設定されたことをＮＡＳレイヤが知っている前提であれば、ＮＡＳサービス要求が発行されることはなく、したがってそのメッセージを運ぶためのＲＲＣ接続設定完了メッセージも不要となる。
【００３１】
シグナリングオーバヘッドの低減は、図１Ａおよび１Ｂに示されるような従来の接続設定についての無線インタフェース上の９メッセージから、図３に示されるようなＲＲＣ接続再開手順を用いるときの４メッセージへと低減されるものであってもよい。省略される／除去されるメッセージは：
・ＲＲＣ接続設定完了
・ＲＲＣセキュリティモードコマンド
・ＲＲＣセキュリティモード完了
・ＲＲＣ接続再設定
・ＲＲＣ接続再設定完了
手順は図３に示される。
【００３２】
図３は、以前に中止されたＲＲＣ接続の再開を説明する。図３の動作１、２および３は、ＵＥがＲＲＣアイドル状態からネットワークにアクセスするときの従来の動作に準じてもよい。
図３の動作４    ｍｓｇ３において、新たなＲＲＣ接続再開要求メッセージ（ＳＲＢ０／ＣＣＣＨを介して運ばれる）が送受信され、ＵＥはそのなかにその再開ＩＤと、認証トークンと、確立理由と、を含める。ｅＮＢは再開ＩＤを用いることでＵＥと以前に格納されたＵＥコンテキストとを関連付ける。
図３の動作５    ここでＲＲＣ接続再開と示されているメッセージ４において、ネットワークは例えば適用可能であれば更新されたＬ３／２／１パラメータを提供する。
図３の動作６    ＵＥおよびｅＮＢは格納されたセキュリティコンテキストを回復する。
図３の動作７    ｅＮＢは、ここでＳ１−ＡＰ  ＵＥコンテキストアクティブと指定されている新たなＳ１ＡＰメッセージで、ＭＭＥに、ＵＥ状態変化を通知する。ＭＭＥのＥＣＭはＥＣＭ−ＣＯＮＮＥＣＴＥＤ状態に入る。ＭＭＥは、ＭＭＥがＵＥに割り当てられたＤＬ  ＴＥＩＤについての情報を格納した場合に、そのＵＥがｅＮｏｄｅＢに戻ることを特定する。
図３の動作８    ＭＭＥはサービングＧＷに、ＰＤＮ接続ごとに、変更ベアラ要求メッセージ（ｅＮｏｄｅＢアドレス、受け入れられたＥＰＳベアラについてのＳ１  ＴＥＩＤ（ダウンリンクＤＬ）、遅延ダウンリンクパケット通知要求、ＲＡＴタイプ）を送信する。サービングＧＷが変更アクセスベアラ要求手順をサポートし、サービングＧＷがＰＧＷにシグナリングを送信する必要がない場合、ＭＭＥはサービングＧＷに、ＵＥごとに、変更アクセスベアラ要求（ｅＮｏｄｅＢアドレス、受け入れられたＥＰＳベアラについてのダウンリンクユーザプレーン用のＴＥＩＤ、遅延ダウンリンクパケット通知要求）を送信することで、シグナリングを改善／最適化することができる。サービングＧＷはいまやＵＥに向けてダウンリンクデータを送信することができる。ＳＧＷはＵＥが接続状態にあると考える。
図３の動作９    ＳＧＷはステップ７に対する応答を提供する。
図３の動作１０    ＭＭＥはステップ７に対してアクノレッジする。
【００３３】
再開／中止でのＲＲＣおよびＰＤＣＰにおけるアクションが以下に説明される。
ＳＲＢおよびＤＲＢのそれぞれについて、ＲＲＣ中止／再開中、ＲＬＣエンティティは維持される。
【００３４】
ＤＬにおいて既に受信された全てのＲＬＣ  ＳＤＵ（サービスデータユニット）を高位レイヤに転送し、ＲＬＣエンティティの内部状態をリセットするために、ＲＲＣが中止される前に、ＳＲＢおよびＤＲＢの全てについてＲＬＣエンティティを再確立することが提案される。
【００３５】
ＲＲＣ再開において、ＲＬＣおよびＰＤＣＰエンティティは再確立される。さらに、ＳＲＢおよびＤＲＢの全てについてＰＤＣＰエンティティを再確立することが提案され、ＳＲＢおよびＤＲＢの全てについてＲＬＣエンティティを回復することが提案される。再開においてＲＬＣ再確立を行わない理由は、その代わりに上述の通り中止においてそれが行われることが提案されているからである。回復は、ＲＲＣの中止の前に用いられていた再開コンテキストが接続を再開するために用いられることを意味する。
【００３６】
ＲＲＣ接続再開メッセージそのものでは再設定されないＲＢなどのある態様を再設定する必要がある場合、そのような再設定は、ＲＲＣ接続再設定メッセージ（例えば、Ｍｓｇ４のＲＲＣ接続再開に多重化されたもの）でなされてもよい。ＲＲＣ接続再開でＲＲＣ接続を再開した後に続いてＲＲＣ接続再設定メッセージで再設定がなされる場合、ＲＢが再設定されてしまう前に、接続が再開されたｅＮＢでサポートされていないか正しくない設定を用いる新たなデータがＲＢに現れるリスクがある。合意された中止手順が前提となる場合、そのような新たなデータは失われてしまうか、不具合や想定されない振る舞いの原因となりうる。
・ＲＢはＲＲＣ接続が中止されたときには中止されてもよい／されるべきであり、ＲＲＣ接続が再開されたときには再開されてもよい／されるべきである。ＲＢが中止されている間、新たなデータは処理されないであろう。
【００３７】
図４Ａは、ＲＲＣ接続を中止し、再開する動作を示す。動作４０１での基地局ｅＮＢからのＲＲＣ接続中止メッセージに応じて、動作４０３で無線端末ＵＥは無線ベアラＲＢを中止し、動作４０５でＲＲＣ接続を中止してもよい。動作４０７でのアップリンクＵＬデータの到着に応じて、無線端末ＵＥは動作４０９で基地局ｅＮＢにＲＲＣ接続再開要求メッセージを送信してもよく、基地局ｅＮＢは動作４１１で無線端末ＵＥにＲＲＣ接続再開メッセージを送信してもよい。それに応じて、無線端末ＵＥは動作４１３で再設定を実行し、動作４１５でキーを変更してセキュリティを回復し、動作４１７で中止されている無線ベアラＲＢを再開してもよい。無線端末ＵＥは、次いで、動作４１９でＲＲＣ接続再開完了メッセージを送信してもよく、無線端末ＵＥは動作４２１で無線ベアラＲＢ上でアップリンクデータを送信してもよい。
・ＲＲＣ接続再開でＲＲＣ接続を再開した後に続いてＲＲＣ接続再設定メッセージでＲＢの再設定がなされる場合：
・ＲＢがまだ再開されるべきでない、すなわち待機してＲＲＣ接続再設定メッセージの処理の後に中止中のＲＢを再開すべきである、ことを示すインジケーションがＲＲＣ接続再開に追加されてもよい。ＲＢは、ＲＲＣ接続再設定メッセージ（例えば、Ｍｓｇ４のＲＲＣ接続再開に多重化されたもの）で再設定される。
【００３８】
図４Ｂは、ＲＲＣ接続再開と同じ伝送に多重化されたＲＲＣ接続再設定を示す。動作４３１での基地局ｅＮＢからのＲＲＣ接続中止メッセージに応じて、動作４３３で無線端末ＵＥは無線ベアラＲＢを中止し、動作４３５でＲＲＣ接続を中止してもよい。動作４３７でのアップリンクＵＬデータの到着に応じて、無線端末ＵＥは動作４３９で基地局ｅＮＢにＲＲＣ接続再開要求メッセージを送信してもよく、基地局ｅＮＢは動作４４１で無線端末ＵＥにＲＲＣ接続再開メッセージ（ＲＢの再開を延期する／遅らせる指示と、ＲＲＣ接続再設定と、を伴う）を送信してもよい。それに応じて、無線端末ＵＥは動作４４３で再設定（ＲＲＣ接続再開のためのもの）を実行し、動作４４５でキーを変更してセキュリティを回復し、動作４４７で再設定（ＲＲＣ接続再設定のためのもの）を実行し、動作４４９で中止されている無線ベアラＲＢを再開してもよい。無線端末ＵＥは、次いで、動作４５１でＲＲＣ接続再開完了メッセージを送信してもよく、無線端末ＵＥは動作４５３で無線ベアラＲＢ上でアップリンクデータを送信してもよい。
【００３９】
図４Ｂの例は、ＲＲＣ接続再開完了とＲＲＣ接続再設定完了とが同じ伝送／下位レイヤＰＤＵ／トランスポートブロックに多重化されてもよいことを示す。あるいはまた、ＲＲＣ接続再開完了とＲＲＣ接続再設定完了とは別個の伝送／下位レイヤＰＤＵ／トランスポートブロックで送信されてもよい。別個に送信される場合、ＲＲＣ接続再開完了は、ＲＲＣ接続再設定に関する再設定の実行の前または後に送信されてもよい。
【００４０】
図５は、ＲＲＣ接続再開の後の個別送信におけるＲＲＣ接続再設定の動作を示す。動作５０１での基地局ｅＮＢからのＲＲＣ接続中止メッセージに応じて、動作５０３で無線端末ＵＥは無線ベアラＲＢを中止し、動作５０５でＲＲＣ接続を中止してもよい。動作５０７でのアップリンクＵＬデータの到着に応じて、無線端末ＵＥは動作５０９で基地局ｅＮＢにＲＲＣ接続再開要求メッセージを送信してもよく、基地局ｅＮＢは動作５１１で無線端末ＵＥにＲＲＣ接続再開メッセージ（ＲＢの再開を延期する／遅らせる指示を伴う）を送信してもよい。それに応じて、無線端末ＵＥは動作５１３で再設定を実行し、動作５１５でキーを変更してセキュリティを回復してもよい。動作５１７で、無線端末ＵＥは基地局ｅＮＢにＲＲＣ接続再開完了メッセージを送信してもよく、基地局ｅＮＢは動作５１９で無線端末ＵＥにＲＲＣ接続再設定メッセージを送信してもよい。それに応じて、無線端末ＵＥは動作５２１で再設定を実行し、動作５２３で中止されている無線ベアラＲＢを再開してもよい。無線端末ＵＥは、次いで、動作５２１でＲＲＣ接続再設定完了メッセージを送信してもよく、無線端末ＵＥは動作５２７で無線ベアラＲＢ上でアップリンクデータを送信してもよい。インジケーションは、（手順が完了したことを係属中のＲＲＣ接続再設定メッセージがシグナルするであろうことから、）ＲＲＣ接続再開完了メッセージが不要であるか省略されるべきであることを示す他のインジケーションと組み合わされてもよい。
【００４１】
図６は、ＲＲＣ接続再開完了メッセージが不要であるか省略されることを示すインジケーションと組み合わされた、ＲＢの再開を延期させる／遅延させるためのインジケーションと、ＲＲＣ接続再開とＲＲＣ接続再設定とが多重化されてもよいことと、を示す。動作６０１での基地局ｅＮＢからのＲＲＣ接続中止メッセージに応じて、動作６０３で無線端末ＵＥは無線ベアラＲＢ（ＳＲＢ０を除く）を中止し、動作６０５でＲＲＣ接続を中止してもよい。動作６０７でのアップリンクＵＬデータの到着に応じて、無線端末ＵＥは動作６０９で基地局ｅＮＢにＲＲＣ接続再開要求メッセージを送信してもよく、基地局ｅＮＢは動作６１０で無線端末ＵＥにＲＲＣ接続再開メッセージ（ＲＢの再開を延期する／遅らせる指示と、ＲＲＣ接続再開完了メッセージが省略されることのインジケーションと、ＲＲＣ接続再設定と、を伴う）を送信してもよい。それに応じて、無線端末ＵＥは動作６１１で再設定（ＲＲＣ接続再開のためのもの）を実行し、動作６１３でキーを変更してセキュリティを回復し、動作６１５で再設定（ＲＲＣ接続再設定のためのもの）を実行し、動作６１７で中止されているＲＢを再開してもよい。動作５１９で、無線端末ＵＥはＲＲＣ接続再設定完了メッセージを送信してもよく、動作６２１で、無線端末ＵＥはＲＢ上でＵＬデータを送信してもよい。図７は、ＲＲＣ接続再開完了メッセージが不要であるか省略されることを示すインジケーションと組み合わされた、ＲＢの再開を延期させる／遅延させるためのインジケーションと、ＲＲＣ接続再開とＲＲＣ接続再設定とが多重化されていないことと、を示す。動作７０１での基地局ｅＮＢからのＲＲＣ接続中止メッセージに応じて、動作７０３で無線端末ＵＥは無線ベアラＲＢ（ＳＲＢ０を除く）を中止し、動作７０５でＲＲＣ接続を中止してもよい。動作７０７でのアップリンクＵＬデータの到着に応じて、無線端末ＵＥは動作７０９で基地局ｅＮＢにＲＲＣ接続再開要求メッセージを送信してもよく、基地局ｅＮＢは動作７１１で無線端末ＵＥにＲＲＣ接続再開メッセージ（ＲＢの再開を延期する／遅らせる指示と、ＲＲＣ接続再開完了メッセージが省略されることのインジケーションと、を伴う）を送信してもよい。それに応じて、無線端末ＵＥは動作７１３で再設定（もしあれば）を実行し、動作７１５でキーを変更してセキュリティを回復してもよい。動作７１７で、無線端末ＵＥは基地局ｅＮＢから、ＲＲＣ接続再設定メッセージを受信してもよい。ＲＲＣ接続再設定メッセージに応じて、無線端末ＵＥは動作７１９で再設定を実行し、動作７２１で中止されているＲＢを再開してもよい。動作７２３で、無線端末ＵＥはＲＲＣ接続再設定完了メッセージを送信してもよく、動作７２５で、無線端末ＵＥはＲＢ上でＵＬデータを送信してもよい。
【００４２】
発明概念のある実施の形態では、ＲＲＣ接続再開メッセージとＲＲＣ接続再設定メッセージとが同じ伝送／下位レイヤＰＤＵ／トランスポートブロックに多重化されてもよい。
【００４３】
発明概念の他の実施の形態では、ＲＲＣ接続再開メッセージとＲＲＣ接続再設定メッセージとが別個の伝送／下位レイヤＰＤＵ／トランスポートブロックで送信されてもよい。
【００４４】
ＲＲＣ接続中止は、ＲＲＣ接続中止メッセージであるか、またはＲＲＣ接続が中止されなければならないことを示す他のメッセージであってもよい。発明概念のある実施の形態では、ＲＲＣ接続中止は、接続が中止されなければならないことを示す解放理由を伴うＲＲＣ接続中止メッセージであってもよい。
【００４５】
ＲＲＣ接続再開要求は、ＲＲＣ接続再開要求であるか、またはＲＲＣ接続の再開が要求されていることを示す他のメッセージであってもよい。
【００４６】
ＲＲＣ接続再開は、ＲＲＣ接続再開メッセージであるか、または接続が再開されなければならないことを示す他のメッセージであってもよい。
【００４７】
ＲＲＣ接続再開完了は、ＲＲＣ接続再開完了メッセージであるか、またはＲＲＣ接続が再開されたことを示す他のメッセージであってもよい。
【００４８】
ＲＲＣ接続再設定は、ＲＲＣ接続再設定メッセージであるか、またはＲＲＣ接続を再設定する他のメッセージであってもよい。
【００４９】
本明細書で開示されるある実施の形態によると、ＵＥとｅＮＢとの間の設定のミスマッチ（これは、データ損失を引き起こす可能性があり、および／または不具合および／または想定されない振る舞いの原因となりうる）を低減または回避することができる。
【００５０】
図８は、ある実施の形態に係る、無線通信ネットワークの基地局１１０１を示すブロック図である。示されるように、基地局（ｅＮＢ）１１０１は、無線インタフェース１１０７（トランシーバとも称される）と結合されたプロセッサ１１０３と、メモリ１１０９と、ネットワークインタフェース１１０５と、を含んでもよく、基地局１１０１は本明細書で説明される基地局の動作／機能のうちの少なくともいくつかを実行するよう構成されてもよい。ネットワークインタフェース１１０５はひとつ以上の他の基地局とのネットワーク通信を提供するよう構成されてもよい。無線インタフェース１１０７は、無線端末とのセルを介した無線通信を提供するよう構成されてもよい。プロセッサ１１０３（プロセッサ回路または処理回路とも称される）は、汎用プロセッサおよび／または専用プロセッサ（例えば、マイクロプロセッサおよび／またはデジタルシグナルプロセッサ）などのひとつ以上のデータ処理回路を含んでもよい。プロセッサ１１０３は、本明細書においてコンピュータ可読媒体として説明されるメモリ１１０９（メモリ回路またはメモリサーキトリとも称される）にある機能モジュールからのコンピュータプログラムインストラクションを実行することによって、本明細書において例／実施の形態のうちのひとつ以上について説明された動作および／または方法のうちのいくつかまたは全てを実行するよう構成されてもよい。
【００５１】
図９は、ひとつ以上の基地局と無線通信可能な無線端末（ＵＥ）１３０１を示すブロック図である。示されるように、無線端末１３０１は、無線インタフェース１３０５（トランシーバとも称される）と結合されたプロセッサ１３０３と、メモリ１３０７と、を含んでもよい。無線端末１３０１はまた、ユーザインタフェース１３０９（例えば、ディスプレイやキーパッドやタッチ感知ディスプレイやマイクロフォンやスピーカやひとつ以上のボタンなどを含む）を含んでもよい。無線端末１３０１は、本明細書で説明される動作／機能のうちの少なくともいくつかを実行するよう構成されてもよい。無線インタフェース１３０５はひとつ以上の基地局１１０１との無線通信を提供するよう構成されてもよい。無線インタフェース１３０５は、セルラモバイル通信ネットワークの基地局１１０１との通信用のＬＴＥトランシーバを含んでもよい。プロセッサ１３０３（プロセッサ回路または処理回路とも称される）は、汎用プロセッサおよび／または専用プロセッサ（例えば、マイクロプロセッサおよび／またはデジタルシグナルプロセッサ）などのひとつ以上のデータ処理回路を含んでもよい。プロセッサ１３０３は、本明細書においてコンピュータ可読媒体として説明されるメモリ１３０７（メモリ回路またはメモリサーキトリとも称される）にある機能モジュールからのコンピュータプログラムインストラクションを実行することによって、本明細書において例／実施の形態のうちのひとつ以上について説明された動作および／または方法のうちのいくつかまたは全てを実行するよう構成されてもよい。
【００５２】
図１０のフローチャートおよび図１１のモジュールを参照して無線端末ＵＥの動作を以下に説明する。例えば、図１１のモジュールは図９の無線端末メモリ１３０７に保持されてもよく、これらのモジュールがインストラクションを提供してもよく、その結果、モジュールのインストラクションが無線端末プロセッサ１３０３によって実行された場合、プロセッサ１３０３が図１０のフローチャートの動作を実行する。
【００５３】
ブロック１００１で、無線端末プロセッサ１３０３は、例えば接続提供モジュール１１５１を用いて、トランシーバ１３０５を通じた基地局ｅＮＢとの接続を提供してもよい。その接続は無線リソース制御（ＲＲＣ）接続であってもよい。
【００５４】
ブロック１００３で、基地局との接続を提供した後、プロセッサ１３０３は、例えば接続中止メッセージ受信モジュール１１５３を用いて、トランシーバ１３０５を通じて、基地局ｅＮＢから接続中止メッセージを受信してもよい。接続中止メッセージは無線リソース制御（ＲＲＣ）接続中止メッセージであってもよい。
【００５５】
ブロック１００５で、プロセッサ１３０３は、例えば無線ベアラ中止モジュール１１５５を用いて、接続中止メッセージを受信したことに応じて接続の無線ベアラを中止してもよい。ブロック１００７で、プロセッサ１３０３は、例えば接続中止モジュール１１５７を用いて、接続の無線ベアラを中止した後、接続を中止してもよい。接続を中止することは、ＲＲＣ接続をＲＲＣ非アクティブ状態（ＵＥがＲＲＣ＿ＩＤＬＥ状態に入ることの代替として）に置くことに対応してもよい。
【００５６】
ブロック１００９で、プロセッサ１３０３は、例えば接続再開要求送信モジュール１１５９を用いて、無線通信ネットワークの基地局ｅＮＢに、トランシーバ１３０５を通じて、接続再開要求を送信してもよい。プロセッサ１３０３は、例えば、送信用のアップリンクデータの到着に応じて、接続再開要求を基地局に送信してもよい。さらに、プロセッサ１３０３は、ブロック１０１７で無線ベアラを再開した後まで、送信用のアップリンクデータの処理を阻止してもよい。その接続再開要求は無線リソース制御（ＲＲＣ）再開要求であってもよい。
【００５７】
ブロック１０１１で、接続再開要求を送信した後、プロセッサ１３０３は、例えば接続再開メッセージ受信モジュール１１６１を用いて、トランシーバ１３０５を通じて、基地局から接続再開メッセージを受信してもよい。接続再開メッセージは無線ベアラを再開することを遅らせるための指示を含んでもよい。接続再開メッセージは無線リソース制御（ＲＲＣ）接続再開メッセージであってもよく、接続再開メッセージは、例えばネクストホップチェイニングカウンタ（ＮＣＣ）を含むセキュリティキー導出インジケータを含んでもよい。
【００５８】
ブロック１０１３で、接続再開メッセージを受信したことに応じて、プロセッサ１３０３は、例えば再設定実行モジュール１１６３を用いて、基地局との接続の再設定を実行してもよい。プロセッサ１３０３は、接続再開メッセージに基づいて接続の再設定を実行してもよい。
【００５９】
ブロック１０１５で、接続再開メッセージを受信したことに応じて、プロセッサ１３０３は、例えばセキュリティキー提供モジュール１１６５を用いて、基地局との接続のセキュリティキーを提供してもよい。セキュリティキーを提供することが、接続中止メッセージを受信する前に用いられていた以前のセキュリティキーからセキュリティキーを変更することを含んでもよい。例えば、セキュリティキーを変更することは、接続再開メッセージに含まれるセキュリティキー導出インジケータ（例えば、ネクストホップチェイニングカウンタを含む）を用いてセキュリティキーを変更することを含んでもよい。
【００６０】
ブロック１０１７で、接続再開メッセージを受信したことに応じて、プロセッサ１３０３は、例えば無線ベアラ再開モジュール１１６７を用いて、無線ベアラを再開してもよい。無線ベアラはデータ無線ベアラまたはシグナリング無線ベアラを含んでもよい。さらに、無線ベアラは複数の無線ベアラを含んでもよい。
【００６１】
ブロック１０１９で、プロセッサ１３０３は、例えば接続再開完了メッセージ送信モジュール１１６９を用いて、基地局に、トランシーバ１３０５を通じて、接続再開完了メッセージを送信してもよい。接続再開完了メッセージは無線リソース制御接続再開完了メッセージであってもよい。
【００６２】
ブロック１０２１で、無線ベアラを再開した後および／または接続再開完了メッセージを送信した後、プロセッサ１３０３は、例えばアップリンクＵＬデータ送信モジュール１１７１を用いて、無線ベアラを用いてアップリンクデータを送信してもよい。ある実施の形態によると、ＵＬデータおよび接続再開完了メッセージは、無線ベアラを用いた伝送用の同じトランスポートブロックに多重化されてもよい。追加的にまたは代替的に、ＵＬデータは、接続再開完了メッセージを送信した後、無線ベアラを用いて送信されてもよい。例えば、あるＵＬデータおよび接続再開完了メッセージは同じトランスポートブロックに多重化されて無線ベアラを用いて送信され、追加的なＵＬデータは続いて無線ベアラを用いて他のトランスポートブロックで送信されてもよい。他の例によると、接続再開完了メッセージは無線ベアラを用いて第１トランスポートブロックで送信され（ＵＬデータなしで）、ＵＬデータは次いで無線ベアラを用いて第２トランスポートブロックで送信されてもよい。
【００６３】
図１０の種々の動作および／または図１１のモジュールは、無線端末および関連方法のある実施の形態に関してオプションであってもよい。例えば、（後述の）例示的な実施の形態１の方法に関して、図１０のブロック１００１、１００３、１００５、１００７および１０１９の動作はオプションであってもよく、関連無線端末に関して、図１１のモジュール１１５１、１１５３、１１５５、１１５７および１１６９はオプションであってもよい。
【００６４】
図１２のフローチャートおよび図１３のモジュールを参照してネットワークノード（例えば基地局）の動作を以下に説明する。例えば、図１３のモジュールは図８のネットワークノードメモリ１１０９に保持されてもよく、これらのモジュールがインストラクションを提供してもよく、その結果、モジュールのインストラクションがネットワークノードプロセッサ１１０３によって実行された場合、プロセッサ１１０３が図１２のフローチャートの動作を実行する。
【００６５】
ブロック１２０１で、プロセッサ１１０３は、例えば接続中止メッセージ送信モジュール１３５１を用いて、無線端末（ＵＥ）に、トランシーバ１１０７を通じて、接続中止メッセージを送信してもよい。接続中止メッセージは無線リソース制御（ＲＲＣ）接続中止メッセージであってもよい。
【００６６】
接続中止メッセージを送信した後、プロセッサ１１０３は、例えば接続再開要求受信モジュール１３５３を用いて、ブロック１２０３においてトランシーバ１１０７を通じて接続再開要求を無線端末ＵＥから受信してもよい。その接続再開要求はＲＲＣ再開要求であってもよい。
【００６７】
接続再開要求を受信したことに応じて、ブロック１２０５で、プロセッサ１１０３は、例えば接続再開メッセージ送信モジュール１３５５を用いて、無線端末ＵＥに、トランシーバ１１０７を通じて、接続再開メッセージを送信してもよい。接続再開メッセージは、接続の無線ベアラを再開することを遅らせるための指示を含んでもよい。接続再開メッセージはまた、接続再開完了メッセージを省略するための指示を含んでもよい。接続再開メッセージはＲＲＣ再開メッセージあってもよい。
【００６８】
ブロック１２０７で、プロセッサ１１０３は、例えばＵＬデータ受信モジュール１３５７を用いて、無線ベアラを用いてトランシーバ１１０７を通じて無線端末ＵＥからアップリンクＵＬデータを受信してもよい。無線ベアラは、例えば、データ無線ベアラまたはシグナリング無線ベアラを含んでもよい。さらに、無線ベアラは複数の無線ベアラを含んでもよい。
【００６９】
図１２の種々の動作および／または図１３のモジュールは、ネットワークノードおよび関連方法のある実施の形態に関してオプションであってもよい。例えば、（後述の）例示的な実施の形態３５の方法に関して、図１２のブロック１２０７の動作はオプションであってもよく、関連終端ノードに関して、図１３のモジュール１３５７はオプションであってもよい。
【００７０】
例示的実施の形態：
実施の形態１。無線通信ネットワークにおいて無線端末を動作させる方法であって、前記無線端末から前記無線通信ネットワークの基地局へ接続再開要求を送信することと、前記接続再開要求を送信した後、前記無線端末において接続再開メッセージを、前記基地局から受信することと、前記接続再開メッセージを受信することに応じて、前記基地局との接続の再設定を実行することと、前記接続再開メッセージを受信することに応じて、前記基地局との前記接続のセキュリティキーを提供することと、前記接続再開メッセージを受信することに応じて、無線ベアラを再開することと、前記無線ベアラを再開した後、前記無線ベアラを用いてアップリンクデータを送信することと、を含む方法。
実施の形態２。前記無線端末から前記基地局へ接続再開完了メッセージを送信することをさらに含み、前記アップリンクデータを送信することが、前記接続再開完了メッセージを送信した後に前記アップリンクデータを送信することを含む実施の形態１に記載の方法。
実施の形態３。前記接続再開メッセージが前記無線ベアラを再開することを遅らせるための指示を含み、
再設定を行うことが前記接続の再設定を前記接続再開メッセージに基づいて行うことを含む実施の形態１または２に記載の方法。
実施の形態４。前記接続再開要求を送信した後、接続再設定メッセージを受信することと、前記接続再設定メッセージを受信することに応じて、かつ、前記セキュリティキーを提供した後、前記接続再設定メッセージに基づいて前記接続の再設定を行うことと、をさらに含み、前記無線ベアラを再開することが前記無線ベアラを再開することを遅らせるための指示に応じて前記接続再設定メッセージに基づいて再設定を行った後に前記無線ベアラを再開することを含む実施の形態３に記載の方法。
実施の形態５。前記接続再設定メッセージに基づいて再設定を実行することがセキュリティキーを用いて接続再設定メッセージを復号することを含む実施の形態４に記載の方法。
実施の形態６。前記接続再開メッセージおよび前記接続再設定メッセージが異なるプロトコルデータユニットを用いて個別に受信される実施の形態４または５に記載の方法。
実施の形態７。前記接続再開メッセージおよび前記接続再設定メッセージが同じプロトコルデータユニット上で多重化される実施の形態４または５に記載の方法。
実施の形態８。前記同じプロトコルデータユニットが媒体アクセス制御プロトコルデータユニットである実施の形態７に記載の方法。
実施の形態９。前記接続再開メッセージに基づいて再設定を実行することおよび／または前記セキュリティキーを提供することが、前記接続再設定メッセージを受信した後に生じる実施の形態４から８のいずれかひとつに記載の方法。
実施の形態１０。前記接続再開メッセージに基づいて再設定を実行することおよび／または前記セキュリティキーを提供することが、前記接続再設定メッセージを受信する前に生じる実施の形態４から６のいずれかひとつに記載の方法。
実施の形態１１。前記無線ベアラを再開した後、前記無線端末から前記基地局へ接続再設定完了メッセージを送信することをさらに含み、前記アップリンクデータを送信することが、前記接続再設定完了メッセージを送信した後に前記アップリンクデータを送信することを含む実施の形態１から１０のいずれかひとつに記載の方法。
実施の形態１２。前記無線ベアラを再開した後、前記無線端末から前記基地局へ接続再開完了メッセージを送信することをさらに含み、前記アップリンクデータを送信することが、前記接続再開完了メッセージを送信した後に前記アップリンクデータを送信することを含む実施の形態１１に記載の方法。
実施の形態１３。前記接続再開完了メッセージおよび前記接続再設定完了メッセージが同じプロトコルデータユニット上で多重完了化される実施の形態１２に記載の方法。  
実施の形態１４。前記同じプロトコルデータユニットが媒体アクセス制御プロトコルデータユニットである実施の形態１３に記載の方法。
実施の形態１５。前記接続再開完了メッセージおよび前記接続再設定完了メッセージが異なるプロトコルデータユニットを用いて個別に送信される実施の形態１２に記載の方法。
実施の形態１６。実施の形態１に記載の方法であって、前記接続再開メッセージが前記無線ベアラを再開することを遅らせるための指示を含み、再設定を実行することが前記接続再開メッセージに基づいて再設定を実行することを含み、前記セキュリティキーを提供することが前記接続再開メッセージに基づいて前記セキュリティキーを提供することを含み、前記方法がさらに、前記接続再開メッセージに基づいて再設定を実行した後、および／または前記セキュリティキーを提供した後、前記無線端末において接続再設定メッセージを基地局から受信することと、前記接続再設定メッセージに基づいて前記接続の再設定を実行することと、を含み、前記無線ベアラを再開することが前記接続再設定メッセージに基づいて再設定を実行することに応じて前記無線ベアラを再開することを含む。
実施の形態１７。前記接続再開メッセージに基づいて再設定を実行した後、および／または前記セキュリティキーを提供した後、前記無線端末から前記基地局へ接続再開完了メッセージを送信することをさらに含み、前記接続再設定メッセージを受信することが、前記接続再開完了メッセージを送信した後に前記接続再設定メッセージを受信することを含む実施の形態１６に記載の方法。
実施の形態１８。実施の形態１に記載の方法であって、前記接続再開メッセージが、前記無線ベアラを再開させることを遅らせるための第１指示と、接続再開完了メッセージを省略するための第２指示と、を含み、再設定を行うことが前記接続の再設定を前記接続再開メッセージに基づいて行うことを含み、前記方法がさらに、前記接続再開要求を送信した後、接続再設定メッセージを受信することと、前記接続再設定メッセージを受信することに応じて、かつ、セキュリティキーを提供した後、前記接続再設定メッセージに基づいて前記接続の再設定を実行することと、を含み、前記無線ベアラを再開することが前記無線ベアラを再開することを遅らせるための前記指示に応じて前記接続再設定メッセージに基づいて再設定を行った後に前記無線ベアラを再開することと、前記無線ベアラを再開した後、前記無線端末から前記基地局へ接続再設定完了メッセージを送信することと、を含み、前記アップリンクデータを送信することが、前記接続再設定完了メッセージを送信した後に前記アップリンクデータを送信することを含む。
実施の形態１９。前記接続再設定メッセージは前記セキュリティキーを提供する前に受信される実施の形態１８に記載の方法。
実施の形態２０。前記接続再設定メッセージは前記セキュリティキーを提供した後に受信される実施の形態１８に記載の方法。
実施の形態２１。前記接続再開要求を送信する前に、前記基地局との接続を提供することと、前記再開要求を送信する前、かつ、前記基地局との前記接続を提供した後、前記無線端末において接続中止メッセージを、前記基地局から受信することと、前記接続再開要求を送信する前、かつ、前記接続中止メッセージを受信することに応じて、前記接続の前記無線ベアラを中止することと、前記接続再開要求を送信する前、かつ、前記接続の前記無線ベアラを中止した後、前記接続を中止することと、をさらに含む実施の形態１から２０のいずれかひとつに記載の方法。
実施の形態２２。前記接続再開要求を送信することが、前記基地局への送信用の前記アップリンクデータの到着に応じて、前記接続再開要求を送信することを含む実施の形態２１に記載の方法。
実施の形態２３。前記無線ベアラを再開した後まで、送信用の前記アップリンクデータの処理を阻止することをさらに含む実施の形態２２に記載の方法。
実施の形態２４。前記接続中止メッセージが無線リソース制御接続中止メッセージを含む実施の形態項２１から２３のいずれかひとつに記載の方法。
実施の形態２５。前記接続再開要求が無線リソース制御再開要求を含み、前記接続再開メッセージが無線リソース制御接続再開メッセージを含み、前記接続が無線リソース制御接続を含み、前記接続再開完了メッセージが無線リソース制御接続再開完了メッセージを含む実施の形態１から２４のいずれかひとつに記載の方法。
実施の形態２６。前記セキュリティキーを提供することが、前記接続中止メッセージを受信する前に用いられていた以前のセキュリティキーからセキュリティキーを変更することを含む実施の形態１から２５のいずれかひとつに記載の方法。
実施の形態２７。前記接続再開メッセージがセキュリティキー導出インジケータを含み、前記セキュリティキーを変更することが前記セキュリティキー導出インジケータを用いて前記セキュリティキーを変更することを含む実施の形態１から２６のいずれかひとつに記載の方法。
実施の形態２８。前記セキュリティキー導出インジケータがネクストホップチェイニングカウンタ（ＮＣＣ）を含む実施の形態２７に記載の方法。
実施の形態２９。前記無線ベアラがデータ無線ベアラを含む実施の形態１から２８のいずれかひとつに記載の方法。  
実施の形態３０。前記無線ベアラがシグナリング無線ベアラを含む実施の形態１から２８のいずれかひとつに記載の方法。
実施の形態３１。前記無線ベアラが複数の無線ベアラを含む実施の形態１から３０のいずれかひとつに記載の方法。
実施の形態３２。無線通信ネットワークとの無線通信を提供するよう構成されたトランシーバと、前記トランシーバと結合されたプロセッサと、を備える無線端末（ＵＥ）であって、前記プロセッサは実施の形態１から３１のいずれかひとつの動作を実行するよう構成され、前記プロセッサと前記無線通信ネットワークとの間の通信が前記トランシーバを通じて提供される。
実施の形態３３。実施の形態１から３１のいずれかひとつにしたがう動作を実行するよう適合された無線端末（ＵＥ）。
実施の形態３４。実施の形態１から３１のいずれかひとつにしたがう動作を実行するよう適合されたモジュールを備える無線端末（ＵＥ）。
実施の形態３５。無線通信ネットワークのノードの動作方法であって、前記方法は、前記ノードから無線端末へ、接続中止メッセージを送信することと、前記接続中止メッセージを送信した後、前記ノードにおいて接続再開要求を、前記無線端末から受信することと、前記接続再開要求を受信することに応じて、前記ノードから前記無線端末へ、接続再開メッセージを送信することであって、前記接続再開メッセージが前記接続の無線ベアラを再開することを遅らせるための指示を含む、送信することと、を含む。
実施の形態３６。前記接続再開メッセージが接続再開完了メッセージを省略することの指示を含む実施の形態３５に記載の方法。
実施の形態３７。前記接続中止メッセージが無線リソース制御（ＲＲＣ）接続中止メッセージであり、前記接続再開要求がＲＲＣ接続再開要求であり、前記接続再開メッセージがＲＲＣ接続再開メッセージである実施の形態３５または３６に記載の方法。
実施の形態３８。前記ノードは、前記無線通信ネットワークの基地局である実施の形態３５から３７のいずれか一項に記載の方法。
実施の形態３９。前記無線ベアラがデータ無線ベアラを含む実施の形態３５から３８のいずれかひとつに記載の方法。  
実施の形態４０。前記無線ベアラがシグナリング無線ベアラを含む実施の形態３５から３８のいずれかひとつに記載の方法。
実施の形態４１。前記無線ベアラが複数の無線ベアラを含む実施の形態３５から４０のいずれかひとつに記載の方法。
実施の形態４２。無線通信ネットワークのノードであって、前記ノードは、無線端末との無線通信を提供するよう構成されたトランシーバと、前記トランシーバと結合されたプロセッサと、を備え、前記プロセッサは実施の形態３５から４１のいずれかひとつの動作を実行するよう構成され、前記プロセッサと前記無線端末との間の通信が前記トランシーバを通じて提供される。
実施の形態４３。無線通信ネットワークのノードであって、前記ノードが実施の形態３５から４１のいずれかひとつにしたがう動作を実行するよう適合されるノード。
実施の形態４４。無線通信ネットワークのノードであって、前記ノードが実施の形態３５から４１のいずれかひとつにしたがう動作を実行するよう適合されたモジュールを備えるノード。
【００７１】
略語  
ＵＰ  ユーザプレーン
ＡＳ  アクセスストラタム
ＮＡＳ  ノンアクセスストラタム
ＥＰＳ  エバルブドパケットシステム
ＴＥＩＤ  トンネルエンドポイント識別子
Ｓ１−ＡＰ  Ｓ１アプリケーションプロトコル
ＥＣＭ  ＥＰＳ接続管理
ＳＲＢ０  シグナリング無線ベアラ０（ゼロ）
ＣＣＣＨ  共通制御チャネル
ＳＲＢ  シグナリング無線ベアラ
ＤＲＢ  データ無線ベアラ
ＰＤＣＰ  パケットデータコンバージェンスプロトコル
Ｋ＿ｅＮＢ  ＡＳセキュリティのために用いられたキー
【００７２】
さらなる定義：
本発明概念の種々の実施の形態の上記説明では、本明細書で用いられる用語は特定の実施の形態を説明するためだけのものであり、本発明概念を限定する意図はないことは理解されるべきである。そうでないと定義されない限り、本明細書で用いられる全ての用語（技術用語および専門用語を含む）は、本発明概念が属する技術分野の当業者によって普通に理解されるような意味と同じ意味を有する。常用される辞書で定義されるものなどの用語は本明細書および関連技術のコンテキストにおける意味と整合する意味を有するものとして解釈されるべきであり、本明細書で明示的にそうであると定義されない限り、理想的なまたは過度に形式的な意味で解釈されるはずもないこともまた理解されるべきである。
【００７３】
エレメントが別のエレメントに「接続」「結合」「応答」又はそれらの変形として称されるとき、それは他のエレメントに直接的に接続、結合又は応答でき、又は１つ以上の介在要素が存在してよい。対照的に、エレメントが別のエレメントに「直接接続」「直接結合」「直接応答」又はそれらの変形として称されるとき、介在要素は存在しない。同様の番号は、全体を通して同様のエレメントを指す。さらに、本明細書で用いられる「結合」「接続」「応答」又はそれらの変形は無線的な結合、接続、又は応答を含んでよい。本明細書で使用されるように、単数形「ａ」、「ａｎ」及び「ｔｈｅ」は、文脈がそうでないことを明確に示さない限り、複数形も含むことが意図される。簡潔さおよび／または明瞭さのために、周知の機能又は構成は詳述されなくてもよい。用語「および／または」は、関連する列挙された項目の１つ以上の任意の及び全ての組み合わせを含む。
【００７４】
第一、第二、第三、などの用語は、様々なエレメント／動作を説明するために本明細書で使用されてよいが、これらのエレメント／動作は、これらの用語によって限定されるべきではないことが理解されよう。これらの用語は、あるエレメント／動作を別のエレメント／動作から区別するためだけに使用される。従って、いくつかの実施の形態における第一のエレメント／動作は、本発明概念の教示から逸脱することなく、他の実施の形態において第二のエレメント／動作と呼ぶことができる。同一の参照符号又は同一の参照識別子は、明細書全体を通して同一又は類似のエレメントを示す。
【００７５】
本明細書で使用される場合、用語「含む（ｃｏｍｐｒｉｓｅ）」、「備える（ｃｏｍｐｒｉｓｉｎｇ）」、「含む（ｃｏｍｐｒｉｓｅｓ）」、「含む（ｉｎｃｌｕｄｅ）」、「含む（ｉｎｃｌｕｄｉｎｇ）」、「含む（ｉｎｃｌｕｄｅｓ）」、「有する（ｈａｖｅ）」、「有する（ｈａｓ）」、「有する（ｈａｖｉｎｇ）」、又はそれらの変形は開集合的であり、１つ以上の規定された特徴、整数、エレメント、ステップ、構成要素、機能を含むが、１つ以上の他の特徴、整数、エレメント、ステップ、構成要素、機能又はそれらのグループの存在又は追加を排除しない。さらに、本明細書で使用されるように、ラテン語の語句「ｅｘｅｍｐｌｉ  ｇｒａｔｉａ」に由来する一般的な略語「ｅ．ｇ．」は、一般的な例又は以前言及されたアイテムの例を導入又は特定するために用いられてよく、そのようなアイテムに限定することを意図していない。ラテン語の語句「ｉｄ  ｅｓｔ」に由来する一般的な略語「ｉ．ｅ．」は、より一般的な記述から特有のアイテムを特定するために用いられてよい。
【００７６】
例示的な実施の形態は、コンピュータに実装される方法、装置（システム及び／又は機器）及び／又はコンピュータプログラム製品のブロック図及び／又はフローチャート図を参照して本明細書で説明される。ブロック図のブロック及び／又はフローチャート図、及びブロック図のブロック及び／又はフローチャート図の組み合わせは、１つ以上のコンピュータ回路によって実行されるコンピュータプログラムインストラクションによって実施できることが理解される。これらのコンピュータプログラムインストラクションは、汎用コンピュータ回路、専用コンピュータ回路、及び／又は他のプログラム可能なデータ処理回路のプロセッサ回路に提供されて、機械を生成することができ、その結果、インストラクションはコンピュータおよび／または他のプログラム可能なデータ処理装置のプロセッサを介して実行されて、トランジスタ、メモリ位置に保持される値、そのような回路内の他のハードウエアコンポーネントを変換しまた制御することで、ブロック図および／またはフローチャートのブロックまたは複数のブロックで指定される機能／動作を実現することができ、それにより、ブロック図および／またはフローチャートのブロックまたは複数のブロックで指定される機能／動作を実現するための手段（機能）および／または構成を生成することができる。
【００７７】
これらのコンピュータプログラムインストラクションはまた、コンピュータ可読媒体に記憶されたインストラクションが、ブロック図および／又はフローチャートのブロックで指定された機能／動作を実施するインストラクションを含む製品を生成するように、特定の方法でコンピュータ又は他のプログラム可能データ処理装置を機能させることができる、有形のコンピュータ可読媒体に保持されてもよい。従って、本発明概念の実施の形態は、デジタルシグナルプロセッサのようなプロセッサ上で動作する、総称して「回路」「モジュール」又はその変形として称される、ハードウエア及び／又はソフトウエア（ファームウエア、常駐ソフトウエア、マイクロコード等を含む）で具現化されてよい。
【００７８】
また、いくつかの代替的な実施の形態において、ブロックに記されている機能／動作は、フローチャートに記されている順番通りでない態様で生じてもよい。例えば、連続して示される２つのブロックは、実際、実質的に同時に実行されてよく、又は関係する機能／動作に応じて逆順で実行されてもよい。さらに、フローチャート及び／又はブロック図の所与のブロックの機能は、複数のブロックに分離されてもよく、及び／又はフローチャート及び／又はブロック図の２つ以上のブロックの機能は、少なくとも部分的には統合されてもよい。最後に、他のブロックは、説明されるブロック間に追加／挿入されてよい。および／または発明概念の範囲から逸脱することなくブロック／動作を省略してもよい。さらに、図のいくつかは通信の主な方向を示すための通信経路上の矢印を含むが、通信は示された矢印と逆方向に生じてもよいことを理解されたい。
【００７９】
本発明概念の原理から実質的に逸脱することなく、実施の形態に対する多くの変形、変更がなされうる。本明細書において、そのような変形や変更の全てが本発明概念の範囲内に含まれることが意図されている。したがって、上述の主題は説明的であると考えられるべきであって、限定的と考えられるべきではなく、実施の形態の例は、本発明概念の範囲および精神内に入るそのような変形、強化および他の実施の形態の全てをカバーすることが意図されている。したがって、法が許す限りにおいて、本発明概念の範囲は、実施の形態の例およびその均等物を含む本開示の最も広い許されうる解釈によって決められるべきであり、前述の詳細な説明によって制限されたり限定されたりすることはあってはならない。
【図１Ａ】
2019519962.tif 000003
【図１Ｂ】
2019519962.tif 000004
【図２】
2019519962.tif 000005
【図３】
2019519962.tif 000006
【図４Ａ】
2019519962.tif 000007
【図４Ｂ】
2019519962.tif 000008
【図５】
2019519962.tif 000009
【図６】
2019519962.tif 000010
【図７】
2019519962.tif 000011
【図８】
2019519962.tif 000012
【図９】
2019519962.tif 000013
【図１０】
2019519962.tif 000014
【図１１】
2019519962.tif 000015
【図１２】
2019519962.tif 000016
【図１３】
2019519962.tif 000017
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
無線通信ネットワークにおいて無線端末（ＵＥ）を動作させる方法であって、
前記無線端末（ＵＥ）から前記無線通信ネットワークの基地局（ｅＮＢ）へ接続再開要求を送信すること（１００９）と、
前記接続再開要求を送信した後、前記無線端末（ＵＥ）において接続再開メッセージを、前記基地局（ｅＮＢ）から受信すること（１０１１）と、
前記接続再開メッセージを受信することに応じて、前記基地局（ｅＮＢ）との接続の再設定を実行することであって、再設定を実行することが前記接続再開メッセージに基づいて前記接続の再設定を実行することを含む、実行すること（１０１３）と、
前記接続再開メッセージを受信することに応じて、前記基地局（ｅＮＢ）との前記接続のセキュリティキーを提供すること（１０１５）と、
前記接続再開メッセージを受信することに応じて、無線ベアラを再開すること（１０１７）と、
前記無線端末（ＵＥ）から前記基地局（ｅＮＢ）へ接続再開完了メッセージを送信すること（１０１９）と、
前記無線ベアラを再開した後、前記無線ベアラを用いてアップリンクデータを送信すること（１０２１）と、を含む方法。
【請求項２】
前記アップリンクデータを送信することが、前記接続再開完了メッセージを送信した後に前記アップリンクデータを送信することを含む請求項１に記載の方法。
【請求項３】
前記接続再開メッセージが前記無線ベアラを再開することを遅らせるための指示を含み、
再設定を行うことが前記接続の再設定を前記接続再開メッセージに基づいて行うことを含む請求項１または２に記載の方法。
【請求項４】
前記接続再開要求を送信する前に、前記基地局（ｅＮＢ）との接続を提供すること（１００１）と、
前記再開要求を送信する前、かつ、前記基地局（ｅＮＢ）との前記接続を提供した後、前記無線端末（ＵＥ）において接続中止メッセージを、前記基地局（ｅＮＢ）から受信すること（１００３）と、
前記接続再開要求を送信する前、かつ、前記接続中止メッセージを受信することに応じて、前記接続の前記無線ベアラを中止すること（１００５）と、
前記接続再開要求を送信する前、かつ、前記接続の前記無線ベアラを中止した後、前記接続を中止すること（１００７）と、をさらに含む請求項１から３のいずれか一項に記載の方法。
【請求項５】
前記接続再開要求を送信することが、前記基地局（ｅＮＢ）への送信用の前記アップリンクデータの到着に応じて、前記接続再開要求を送信することを含む請求項４に記載の方法。
【請求項６】
前記無線ベアラを再開した後まで、送信用の前記アップリンクデータの処理を阻止することをさらに含む請求項５に記載の方法。
【請求項７】
前記接続中止メッセージが無線リソース制御、ＲＲＣ接続中止メッセージを含む請求項４から６のいずれか一項に記載の方法。
【請求項８】
前記接続再開要求が無線リソース制御、ＲＲＣ再開要求を含み、前記接続再開メッセージが無線リソース制御接続再開メッセージを含み、前記接続が無線リソース制御接続を含み、前記接続再開完了メッセージが無線リソース制御接続再開完了メッセージを含む請求項１から７のいずれか一項に記載の方法。
【請求項９】
前記セキュリティキーを提供することが、前記接続中止メッセージを受信する前に用いられていた以前のセキュリティキーからセキュリティキーを変更することを含む請求項１から８のいずれか一項に記載の方法。
【請求項１０】
前記接続再開メッセージがセキュリティキー導出インジケータを含み、前記セキュリティキーを変更することが前記セキュリティキー導出インジケータを用いて前記セキュリティキーを変更することを含む請求項１から９のいずれか一項に記載の方法。
【請求項１１】
無線通信ネットワークとの無線通信を提供するよう構成されたトランシーバ（１３０５）と、
前記トランシーバと結合されたプロセッサ（１３０３）と、を備え、
前記プロセッサと前記無線通信ネットワークとの間の通信が前記トランシーバを通じて提供され、
前記プロセッサが、
前記無線端末（ＵＥ）から前記無線通信ネットワークの基地局（ｅＮＢ）へ接続再開要求を送信することと、
前記接続再開要求を送信した後、前記無線端末（ＵＥ）において接続再開メッセージを、前記基地局（ｅＮＢ）から受信することと、
前記接続再開メッセージを受信することに応じて、前記基地局（ｅＮＢ）との接続の再設定を実行することであって、再設定を実行することが、前記接続再開メッセージに基づいて前記接続の再設定を実行することを含む、実行することと、
前記接続再開メッセージを受信することに応じて、前記基地局（ｅＮＢ）との前記接続のセキュリティキーを提供することと、
前記接続再開メッセージを受信することに応じて、無線ベアラを再開することと、
前記無線端末（ＵＥ）から前記基地局（ｅＮＢ）へ接続再開完了メッセージを送信することと、
前記無線ベアラを再開した後、前記無線ベアラを用いてアップリンクデータを送信することと、を行うよう構成される無線端末（ＵＥ）。
【請求項１２】
前記アップリンクデータを送信することが、前記接続再開完了メッセージを送信した後に前記アップリンクデータを送信することを含む請求項１１に記載の無線端末（ＵＥ）。
【請求項１３】
前記接続再開メッセージが前記無線ベアラを再開することを遅らせるための指示を含む請求項１１または１２に記載の無線端末（ＵＥ）。
【請求項１４】
前記プロセッサがさらに、
前記接続再開要求を送信する前に、前記基地局（ｅＮＢ）との接続を提供することと、
前記再開要求を送信する前、かつ、前記基地局（ｅＮＢ）との前記接続を提供した後、前記無線端末（ＵＥ）において接続中止メッセージを、前記基地局（ｅＮＢ）から受信することと、
前記接続再開要求を送信する前、かつ、前記接続中止メッセージを受信することに応じて、前記接続の前記無線ベアラを中止することと、
前記接続再開要求を送信する前、かつ、前記接続の前記無線ベアラを中止した後、前記接続を中止することと、を行うよう構成される請求項１１から１３のいずれか一項に記載の無線端末（ＵＥ）。
【請求項１５】
前記接続再開要求を送信することが、前記基地局（ｅＮＢ）への送信用の前記アップリンクデータの到着に応じて、前記接続再開要求を送信することを含む請求項１４に記載の無線端末（ＵＥ）。
【請求項１６】
前記プロセッサがさらに、
前記無線ベアラを再開した後まで、送信用の前記アップリンクデータの処理を阻止することを行うよう構成される請求項１５に記載の無線端末（ＵＥ）。
【請求項１７】
前記接続中止メッセージが無線リソース制御、ＲＲＣ接続中止メッセージを含む請求項１４から１６のいずれか一項に記載の無線端末（ＵＥ）。
【請求項１８】
前記接続再開要求が無線リソース制御、ＲＲＣ再開要求を含み、前記接続再開メッセージが無線リソース制御接続再開メッセージを含み、前記接続が無線リソース制御接続を含み、前記接続再開完了メッセージが無線リソース制御接続再開完了メッセージを含む請求項１１から１７のいずれか一項に記載の無線端末（ＵＥ）。
【請求項１９】
前記セキュリティキーを提供することが、前記接続中止メッセージを受信する前に用いられていた以前のセキュリティキーからセキュリティキーを変更することを含む請求項１１から１８のいずれか一項に記載の無線端末（ＵＥ）。
【請求項２０】
前記接続再開メッセージがセキュリティキー導出インジケータを含み、前記セキュリティキーを変更することが前記セキュリティキー導出インジケータを用いて前記セキュリティキーを変更することを含む請求項１１から１９のいずれか一項に記載の無線端末（ＵＥ）。
【請求項２１】
無線通信ネットワークにおいて動作する無線端末（ＵＥ）であって、前記無線端末（ＵＥ）は、
前記無線端末（ＵＥ）から前記無線通信ネットワークの基地局（ｅＮＢ）へ接続再開要求を送信することと、
前記接続再開要求を送信した後、前記無線端末（ＵＥ）において接続再開メッセージを、前記基地局（ｅＮＢ）から受信することと、
前記接続再開メッセージを受信することに応じて、前記基地局（ｅＮＢ）との接続の再設定を実行することであって、再設定を実行することが、前記接続再開メッセージに基づいて前記接続の再設定を実行することを含む、実行することと、
前記接続再開メッセージを受信することに応じて、前記基地局（ｅＮＢ）との前記接続のセキュリティキーを提供することと、
前記接続再開メッセージを受信することに応じて、無線ベアラを再開することと、
前記無線端末（ＵＥ）から前記基地局（ｅＮＢ）へ接続再開完了メッセージを送信することと、
前記無線ベアラを再開した後、前記無線ベアラを用いてアップリンクデータを送信することと、を行うよう適合されている無線端末（ＵＥ）。
【請求項２２】
前記アップリンクデータを送信することが、前記接続再開完了メッセージを送信した後に前記アップリンクデータを送信することを含む請求項２１に記載の無線端末（ＵＥ）。
【請求項２３】
前記接続再開メッセージが前記無線ベアラを再開することを遅らせるための指示を含む請求項２１または２２に記載の無線端末（ＵＥ）。
【請求項２４】
前記無線端末がさらに、
前記接続再開要求を送信する前に、前記基地局（ｅＮＢ）との接続を提供することと、
前記再開要求を送信する前、かつ、前記基地局（ｅＮＢ）との前記接続を提供した後、前記無線端末（ＵＥ）において接続中止メッセージを、前記基地局（ｅＮＢ）から受信することと、
前記接続再開要求を送信する前、かつ、前記接続中止メッセージを受信することに応じて、前記接続の前記無線ベアラを中止することと、
前記接続再開要求を送信する前、かつ、前記接続の前記無線ベアラを中止した後、前記接続を中止することと、を行うよう適合される請求項２１から２３のいずれか一項に記載の無線端末（ＵＥ）。
【請求項２５】
前記接続再開要求を送信することが、前記基地局（ｅＮＢ）への送信用の前記アップリンクデータの到着に応じて、前記接続再開要求を送信することを含む請求項２４に記載の無線端末（ＵＥ）。
【請求項２６】
前記無線端末がさらに、
前記無線ベアラを再開した後まで、送信用の前記アップリンクデータの処理を阻止することを行うよう適合される請求項２５に記載の無線端末（ＵＥ）。
【請求項２７】
前記接続中止メッセージが無線リソース制御、ＲＲＣ接続中止メッセージを含む請求項２４から２６のいずれか一項に記載の無線端末（ＵＥ）。
【請求項２８】
前記接続再開要求が無線リソース制御、ＲＲＣ再開要求を含み、前記接続再開メッセージが無線リソース制御接続再開メッセージを含み、前記接続が無線リソース制御接続を含み、前記接続再開完了メッセージが無線リソース制御接続再開完了メッセージを含む請求項２１から２７のいずれか一項に記載の無線端末（ＵＥ）。
【請求項２９】
前記セキュリティキーを提供することが、前記接続中止メッセージを受信する前に用いられていた以前のセキュリティキーからセキュリティキーを変更することを含む請求項２１から２８のいずれか一項に記載の無線端末（ＵＥ）。
【請求項３０】
前記接続再開メッセージがセキュリティキー導出インジケータを含み、前記セキュリティキーを変更することが前記セキュリティキー導出インジケータを用いて前記セキュリティキーを変更することを含む請求項２１から２９のいずれか一項に記載の無線端末（ＵＥ）。
【請求項３１】
無線通信ネットワークのノード（１１０１）を動作させる方法であって、
前記ノードから無線端末（ＵＥ）へ、接続中止メッセージを送信すること（１２０１）と、
前記接続中止メッセージを送信した後、前記ノードにおいて接続再開要求を、前記無線端末（ＵＥ）から受信すること（１２０３）と、
前記接続再開要求を受信することに応じて、前記ノードから前記無線端末（ＵＥ）へ、接続再開メッセージを送信すること（１２０５）と、
前記ノードから前記無線端末（ＵＥ）へ接続再設定メッセージを送信することであって、前記接続再設定メッセージが前記接続再開メッセージと多重化されており、前記接続再開メッセージが前記無線端末が接続再設定メッセージに基づいて再設定を実行してしまうまで前記接続の無線ベアラを再開することを遅らせるための指示を含む、送信することと、を含む方法。
【請求項３２】
無線通信ネットワークのノード（１１０１）であって、
無線端末（ＵＥ）との無線通信を提供するよう構成されたトランシーバ（１１０７）と、
前記トランシーバと結合されたプロセッサ（１１０３）と、を備え、
前記プロセッサと前記無線端末（ＵＥ）との間の通信が前記トランシーバを通じて提供され、
前記プロセッサが、
前記ノードから無線端末（ＵＥ）へ、接続中止メッセージを送信することと、
前記接続中止メッセージを送信した後、前記ノードにおいて接続再開要求を、前記無線端末（ＵＥ）から受信することと、
前記接続再開要求を受信することに応じて、前記ノードから前記無線端末（ＵＥ）へ接続再開メッセージを送信することと、
前記ノードから前記無線端末（ＵＥ）へ接続再設定メッセージを送信することであって、前記接続再設定メッセージが前記接続再開メッセージと多重化されており、前記接続再開メッセージが前記無線端末が前記接続再設定メッセージに基づいて再設定を実行してしまうまで前記接続の無線ベアラを再開することを遅らせるための指示を含む、送信することと、を行うよう構成されるノード。
【請求項３３】
無線通信ネットワークのノード（１１０１）であって、前記ノードは、
前記ノードから無線端末（ＵＥ）へ、接続中止メッセージを送信することと、
前記接続中止メッセージを送信した後、前記ノードにおいて接続再開要求を、前記無線端末（ＵＥ）から受信することと、
前記接続再開要求を受信することに応じて、前記ノードから前記無線端末（ＵＥ）へ接続再開メッセージを送信することと、
前記ノードから前記無線端末（ＵＥ）へ接続再設定メッセージを送信することであって、前記接続再設定メッセージが前記接続再開メッセージと多重化されており、前記接続再開メッセージが前記無線端末が前記接続再設定メッセージに基づいて再設定を実行してしまうまで前記接続の無線ベアラを再開することを遅らせるための指示を含む、送信することと、を行うよう適合されるノード。
【請求項３４】
前記接続再開メッセージが接続再開完了メッセージを省略することの指示を含む請求項３３に記載のノード。
【請求項３５】
前記接続中止メッセージが無線リソース制御、ＲＲＣ、接続中止メッセージであり、前記接続再開要求がＲＲＣ接続再開要求であり、前記接続再開メッセージがＲＲＣ接続再開メッセージである請求項３３または３４に記載のノード。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
無線通信ネットワークにおいて無線端末（ＵＥ）を動作させる方法であって、
前記無線端末（ＵＥ）から前記無線通信ネットワークの基地局（ｅＮＢ）へ接続再開要求を送信すること（１００９）と、
前記接続再開要求を送信した後、前記無線端末（ＵＥ）において接続再開メッセージを、前記基地局（ｅＮＢ）から受信すること（１０１１）と、
前記接続再開メッセージを受信することに応じて、前記基地局（ｅＮＢ）との接続の再設定を実行することであって、再設定を実行することが前記接続再開メッセージに基づいて前記接続の再設定を実行することを含む、実行すること（１０１３）と、
前記接続再開メッセージを受信することに応じて、前記基地局（ｅＮＢ）との前記接続のセキュリティキーを提供すること（１０１５）と、
前記接続再開メッセージを受信することに応じて、無線ベアラを再開すること（１０１７）と、
前記無線端末（ＵＥ）から前記基地局（ｅＮＢ）へ接続再開完了メッセージを送信すること（１０１９）と、
前記無線ベアラを再開した後、前記無線ベアラを用いてアップリンクデータを送信すること（１０２１）と、を含む方法。
【請求項２】
前記アップリンクデータを送信することが、前記接続再開完了メッセージを送信した後に前記アップリンクデータを送信することを含む請求項１に記載の方法。
【請求項３】
前記接続再開メッセージが前記無線ベアラを再開することを遅らせるための指示を含み、
再設定を行うことが前記接続の再設定を前記接続再開メッセージに基づいて行うことを含む請求項１または２に記載の方法。
【請求項４】
前記接続再開要求を送信する前に、前記基地局（ｅＮＢ）との接続を提供すること（１００１）と、
前記再開要求を送信する前、かつ、前記基地局（ｅＮＢ）との前記接続を提供した後、前記無線端末（ＵＥ）において接続中止メッセージを、前記基地局（ｅＮＢ）から受信すること（１００３）と、
前記接続再開要求を送信する前、かつ、前記接続中止メッセージを受信することに応じて、前記接続の前記無線ベアラを中止すること（１００５）と、
前記接続再開要求を送信する前、かつ、前記接続の前記無線ベアラを中止した後、前記接続を中止すること（１００７）と、をさらに含む請求項１から３のいずれか一項に記載の方法。
【請求項５】
前記接続再開要求を送信することが、前記基地局（ｅＮＢ）への送信用の前記アップリンクデータの到着に応じて、前記接続再開要求を送信することを含む請求項４に記載の方法。
【請求項６】
前記無線ベアラを再開した後まで、送信用の前記アップリンクデータの処理を阻止することをさらに含む請求項５に記載の方法。
【請求項７】
前記接続中止メッセージが無線リソース制御、ＲＲＣ接続中止メッセージを含む請求項４から６のいずれか一項に記載の方法。
【請求項８】
無線通信ネットワークにおいて動作する無線端末（ＵＥ）であって、前記無線端末（ＵＥ）は、
前記無線端末（ＵＥ）から前記無線通信ネットワークの基地局（ｅＮＢ）へ接続再開要求を送信することと、
前記接続再開要求を送信した後、前記無線端末（ＵＥ）において接続再開メッセージを、前記基地局（ｅＮＢ）から受信することと、
前記接続再開メッセージを受信することに応じて、前記基地局（ｅＮＢ）との接続の再設定を実行することであって、再設定を実行することが、前記接続再開メッセージに基づいて前記接続の再設定を実行することを含む、実行することと、
前記接続再開メッセージを受信することに応じて、前記基地局（ｅＮＢ）との前記接続のセキュリティキーを提供することと、
前記接続再開メッセージを受信することに応じて、無線ベアラを再開することと、
前記無線端末（ＵＥ）から前記基地局（ｅＮＢ）へ接続再開完了メッセージを送信することと、
前記無線ベアラを再開した後、前記無線ベアラを用いてアップリンクデータを送信することと、を行うよう適合されている無線端末（ＵＥ）。
【請求項９】
前記アップリンクデータを送信することが、前記接続再開完了メッセージを送信した後に前記アップリンクデータを送信することを含む請求項８に記載の無線端末（ＵＥ）。
【請求項１０】
前記接続再開メッセージが前記無線ベアラを再開することを遅らせるための指示を含む請求項８または９に記載の無線端末（ＵＥ）。
【請求項１１】
前記無線端末がさらに、
前記接続再開要求を送信する前に、前記基地局（ｅＮＢ）との接続を提供することと、
前記再開要求を送信する前、かつ、前記基地局（ｅＮＢ）との前記接続を提供した後、前記無線端末（ＵＥ）において接続中止メッセージを、前記基地局（ｅＮＢ）から受信することと、
前記接続再開要求を送信する前、かつ、前記接続中止メッセージを受信することに応じて、前記接続の前記無線ベアラを中止することと、
前記接続再開要求を送信する前、かつ、前記接続の前記無線ベアラを中止した後、前記接続を中止することと、を行うよう適合される請求項８から１０のいずれか一項に記載の無線端末（ＵＥ）。
【請求項１２】
前記接続再開要求を送信することが、前記基地局（ｅＮＢ）への送信用の前記アップリンクデータの到着に応じて、前記接続再開要求を送信することを含む請求項１１に記載の無線端末（ＵＥ）。
【請求項１３】
前記無線端末がさらに、
前記無線ベアラを再開した後まで、送信用の前記アップリンクデータの処理を阻止することを行うよう適合される請求項１２に記載の無線端末（ＵＥ）。
【請求項１４】
前記接続中止メッセージが無線リソース制御、ＲＲＣ接続中止メッセージを含む請求項１１から１３のいずれか一項に記載の無線端末（ＵＥ）。
【請求項１５】
無線通信ネットワークのノード（１１０１）を動作させる方法であって、
前記ノードから無線端末（ＵＥ）へ、接続中止メッセージを送信すること（１２０１）と、
前記接続中止メッセージを送信した後、前記ノードにおいて接続再開要求を、前記無線端末（ＵＥ）から受信すること（１２０３）と、
前記接続再開要求を受信することに応じて、前記ノードから前記無線端末（ＵＥ）へ、接続再開メッセージを送信すること（１２０５）と、
前記ノードから前記無線端末（ＵＥ）へ接続再設定メッセージを送信することであって、前記接続再設定メッセージが前記接続再開メッセージと多重化されており、前記接続再開メッセージが前記無線端末が接続再設定メッセージに基づいて再設定を実行してしまうまで前記接続の無線ベアラを再開することを遅らせるための指示を含む、送信することと、を含む方法。
【請求項１６】
無線通信ネットワークのノード（１１０１）であって、前記ノードは、
前記ノードから無線端末（ＵＥ）へ、接続中止メッセージを送信することと、
前記接続中止メッセージを送信した後、前記ノードにおいて接続再開要求を、前記無線端末（ＵＥ）から受信することと、
前記接続再開要求を受信することに応じて、前記ノードから前記無線端末（ＵＥ）へ接続再開メッセージを送信することと、
前記ノードから前記無線端末（ＵＥ）へ接続再設定メッセージを送信することであって、前記接続再設定メッセージが前記接続再開メッセージと多重化されており、前記接続再開メッセージが前記無線端末が前記接続再設定メッセージに基づいて再設定を実行してしまうまで前記接続の無線ベアラを再開することを遅らせるための指示を含む、送信することと、を行うよう適合されるノード。
【国際調査報告】
2019519962.tif 000018
2019519962.tif 000019
2019519962.tif 000020
2019519962.tif 000021
2019519962.tif 000022